(57)【特許請求の範囲】
【請求項１】
狭帯域モノのインターネット（ＮＢ−ＩｏＴ）システムにおいて端末（ＵＥ）が信号を受信する方法であって、
狭帯域セル識別子（Ｎ−Ｃｅｌｌ  ＩＤ）を取得するために狭帯域セカンダリ同期信号（Ｎ−ＳＳＳ）を受信するステップと、
前記Ｎ−Ｃｅｌｌ  ＩＤに基づいて狭帯域物理放送チャネル（Ｎ−ＰＢＣＨ）を受信するステップと、
狭帯域物理下りリンク共有チャネル（Ｎ−ＰＤＳＣＨ）上で、前記Ｎ−ＰＢＣＨの受信の後、帯域内配置モードついての情報を含むシステム情報ブロックを受信するステップと、を含み、
前記帯域内配置モードは前記ＮＢ−ＩｏＴシステムのバンド（帯域）がレガシーＬＴＥ（ｌｏｎｇ  ｔｅｒｍ  ｅｖｏｌｕｔｏｉｎ）システムの帯域内にある動作モードを示す、方法。
【請求項２】
前記Ｎ−ＰＢＣＨを受信するステップは、
前記Ｎ−Ｃｅｌｌ  ＩＤに基づいて前記レガシーＬＴＥシステムのセル特定参照信号（ＣＲＳ）に対する周波数遷移値（ｖ−ｓｈｉｆｔ）を決定するステップと、
前記周波数遷移値に基づいて前記ＣＲＳが割り当てられるリソース要素を決定するステップと、を含む、請求項１に記載の方法。
【請求項３】
前記レガシーＬＴＥシステムで支援可能な最大ＣＲＳアンテナポート個数を仮定して前記周波数遷移値が決定される、請求項２に記載の方法。
【請求項４】
前記ＣＲＳが割り当てられると推定したリソース要素（ＲＥ）以外のリソース領域で前記Ｎ−ＰＢＣＨを受信するステップをさらに含む、請求項３に記載の方法。
【請求項５】
前記Ｎ−ＰＢＣＨを受信するステップは、
前記Ｎ−Ｃｅｌｌ  ＩＤに基づいて前記ＮＢ−ＩｏＴシステムの狭帯域セル特定参照信号（Ｎ−ＣＲＳ）に対する周波数遷移値を決定するステップと、
前記周波数遷移値に基づいて前記Ｎ−ＣＲＳが割り当てられるリソース要素を決定するステップと、を含む、請求項２ないし４のいずれか一項に記載の方法。
【請求項６】
前記Ｎ−ＣＲＳが受信されるアンテナポートの個数を特定値に等しいと仮定して前記周波数遷移値を決定する、請求項５に記載の方法。
【請求項７】
前記Ｎ−ＣＲＳが割り当てられると推定したリソース要素（ＲＥ）以外のリソース領域で前記Ｎ−ＰＢＣＨを受信するステップをさらに含む、請求項５に記載の方法。
【請求項８】
前記Ｎ−ＰＢＣＨを受信するステップは、
前記Ｎ−Ｃｅｌｌ  ＩＤに基づいて前記ＮＢ−ＩｏＴシステムの狭帯域セル特定参照信号（Ｎ−ＣＲＳ）に対する周波数遷移値を決定するステップと、
前記周波数遷移値に基づいて前記Ｎ−ＣＲＳが割り当てられるリソース要素を決定するステップと、をさらに含み、
前記ＣＲＳが割り当てられるリソース要素及び前記Ｎ−ＣＲＳが割り当てられるリソース要素以外のリソース領域で前記Ｎ−ＰＢＣＨが受信される、請求項２から７のいずれか一項に記載の方法。
【請求項９】
狭帯域プライマリ同期信号（Ｎ−ＰＳＳ）を受信するステップをさらに含み、
前記Ｎ−ＰＳＳ、前記Ｎ−ＳＳＳ及び前記Ｎ−ＰＢＣＨは前記レガシーＬＴＥシステムの中心６物理リソースブロック（ＰＲＢ）で受信されないように設定される、請求項１から８のいずれか一項に記載の方法。
【請求項１０】
前記レガシーＬＴＥシステムにおいてサウンディング参照信号（ＳＲＳ）を送信するように設定されたサブフレームについての情報を受信するステップと、
前記サブフレームに含まれる最後のシンボル以外のサブフレームについて狭帯域物理上りリンク共有チャネル（Ｎ−ＰＵＳＣＨ）を、前記帯域内配置モードで受信するステップをさらに含む、請求項１から９のいずれか一項に記載の方法。
【請求項１１】
狭帯域モノのインターネット（ＮＢ−ＩｏＴ）システムにおいて信号を受信する端末であって、
メモリと、
前記メモリと結合された少なくとも一つのプロセッサとを備え、
前記プロセッサは、
狭帯域セル識別子（Ｎ−Ｃｅｌｌ  ＩＤ）を取得するために狭帯域セカンダリ同期信号（Ｎ−ＳＳＳ）を受信し、
前記Ｎ−Ｃｅｌｌ  ＩＤに基づいて狭帯域物理放送チャネル（Ｎ−ＰＢＣＨ）を受信し、
狭帯域物理下りリンク共有チャネル（Ｎ−ＰＤＳＣＨ）上で、前記Ｎ−ＰＢＣＨの受信の後、帯域内配置モードついての情報を含むシステム情報ブロックを受信するように構成され、
前記帯域内配置モードは、前記ＮＢ−ＩｏＴシステムのバンド（帯域）がレガシーＬＴＥ（ｌｏｎｇ  ｔｅｒｍ  ｅｖｏｌｕｔｏｉｎ））システムの帯域内にある動作モードを示す、端末。
【請求項１２】
前記少なくとも一つのプロセッサは、
前記Ｎ−Ｃｅｌｌ  ＩＤに基づいて前記レガシーＬＴＥシステムのセル特定参照信号（ＣＲＳ）に対する周波数遷移値（ｖ−ｓｈｉｆｔ）を決定し、
前記周波数遷移値に基づいて前記ＣＲＳが割り当てられるリソース要素を決定するようにさらに構成される、請求項１１に記載の端末。
【請求項１３】
前記少なくとも一つのプロセッサは、前記レガシーＬＴＥシステムで支援可能な最大ＣＲＳアンテナポート個数を仮定して前記周波数遷移値を決定するようにさらに構成される、請求項１２に記載の端末。
【請求項１４】
前記少なくとも一つのプロセッサは、前記ＣＲＳが割り当てられると推定したリソース要素以外のリソース領域で前記Ｎ−ＰＢＣＨを受信するようにさらに構成される、請求項１３に記載の端末。
【請求項１５】
前記少なくとも一つのプロセッサは、
前記Ｎ−Ｃｅｌｌ  ＩＤに基づいて前記ＮＢ−ＩｏＴシステムの狭帯域セル特定参照信号（Ｎ−ＣＲＳ）に対する周波数遷移値を決定し、
前記周波数遷移値に基づいて前記Ｎ−ＣＲＳが割り当てられるリソース要素を決定するようにさらに構成される、請求項１２から１４のいずれか一項に記載の端末。
【請求項１６】
前記少なくとも一つのプロセッサは、前記Ｎ−ＣＲＳが送信されるアンテナポートの個数が特定値と等しいと仮定して前記周波数遷移値を決定するようにさらに構成された、請求項１５に記載の端末。
【請求項１７】
前記少なくとも一つのプロセッサは、前記Ｎ−ＣＲＳが割り当てられると推定したリソース要素以外のリソース領域で前記Ｎ−ＰＢＣＨを受信するようにさらに構成された、請求項１５に記載の端末。
【請求項１８】
前記少なくとも一つのプロセッサは、
前記Ｎ−Ｃｅｌｌ  ＩＤに基づいて前記ＮＢ−ＩｏＴシステムの狭帯域セル特定参照信号（Ｎ−ＣＲＳ）に対する周波数遷移値を決定し、
前記周波数遷移値に基づいて前記Ｎ−ＣＲＳが割り当てられるリソース要素を決定するようにさらに構成され、
前記ＣＲＳが割り当てられるリソース要素及び前記Ｎ−ＣＲＳが割り当てられるリソース要素以外のリソース領域で前記Ｎ−ＰＢＣＨを受信する、請求項１２から１７のいずれか一項に記載の端末。
【請求項１９】
前記少なくとも一つのプロセッサは、狭帯域プライマリ同期信号（Ｎ−ＰＳＳ）を受信するようにさらに構成され、
前記Ｎ−ＰＳＳ、前記Ｎ−ＳＳＳ及び前記Ｎ−ＰＢＣＨは前記レガシーＬＴＥシステムの中心６物理リソースブロック（ＰＲＢ）で受信されないように構成される、請求項１１から１８のいずれか一項に記載の端末。
【請求項２０】
狭帯域モノのインターネット（ＮＢ−ＩｏＴ）システムにおいて信号を送受信する基地局であって、
メモリと、
前記メモリと結合された少なくとも一つのプロセッサとを備え、
前記少なくとも一つのプロセッサは、
狭帯域セル識別子（Ｎ−Ｃｅｌｌ  ＩＤ）を取得するために狭帯域セカンダリ同期信号（Ｎ−ＳＳＳ）を送信し、
前記Ｎ−Ｃｅｌｌ  ＩＤに基づいて狭帯域物理放送チャネル（Ｎ−ＰＢＣＨ）を送信し、
狭帯域物理下りリンク共有チャネル（Ｎ−ＰＤＳＣＨ）上で、前記Ｎ−ＰＢＣＨの受信の後、帯域内配置モードついての情報を含むシステム情報ブロックを送信するように構成され、
前記帯域内配置モードは、前記ＮＢ−ＩｏＴシステムのバンド（帯域）がレガシーＬＴＥ（ｌｏｎｇ  ｔｅｒｍ  ｅｖｏｌｕｔｏｉｎ））システムの帯域内である動作モードを示す、基地局。
【発明の詳細な説明】
【技術分野】
【０００１】
本発明は、狭帯域モノのインターネット（ＮＢ−ＩｏＴ：  Ｎａｒｒｏｗ  Ｂａｎｄ  Ｉｎｔｅｒｎｅｔ  ｏｆ  Ｔｈｉｎｇｓ）を支援する無線接続システムに関し、特に、帯域内動作を支援する場合に下りリンク／上りリンク物理チャネルを送受信する方法及び装置に関する。
【背景技術】
【０００２】
無線接続システムが音声やデータなどのような種々の通信サービスを提供するために広範囲に展開されている。一般に、無線接続システムは、可用のシステムリソース（帯域幅、送信電力など）を共有して多重ユーザとの通信を支援できる多元接続（ｍｕｌｔｉｐｌｅ  ａｃｃｅｓｓ）システムである。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、ＮＢ−ＩｏＴ端末のためのデータ及び／又は制御情報を送受信する方法を提供することである。
【０００４】
本発明の他の目的は、ＮＢ−ＩｏＴシステムにおいて下りリンク及び／又は上りリンク物理チャネルを送受信する方法を提供することである。
【０００５】
本発明の更に他の目的は、ＮＢ−ＩｏＴシステムにおいて物理下りリンク放送チャネルを送受信する方法を提供することである。
【０００６】
本発明の更に他の目的は、Ｍ−ＣＲＳを定義し、レガシーＣＲＳ及び物理下りリンク放送チャネルを送受信する方法を提供することである。
【０００７】
本発明の更に他の目的は、それらの方法を支援する装置を提供することである。
【０００８】
本発明で達成しようとする技術的目的は以上で言及した事項に制限されなく、言及しなかったさらに他の技術的課題は以下で説明する本発明の実施形態から本発明が属する技術分野で通常の知識を有する者によって考慮されることができる。
【課題を解決するための手段】
【０００９】
本発明は、狭帯域モノのインターネット（ＮＢ−ＩｏＴ）を支援する無線接続システムにおいて帯域内動作を支援する場合に下りリンク／上りリンク物理チャネルを送受信する方法及び装置を提供する。
【００１０】
本発明の一態様であって、狭帯域モノのインターネット（ＮＢ−ＩｏＴ）システムを支援する無線接続システムにおいて端末が物理下りリンク放送チャネル（Ｍ−ＰＢＣＨ）を受信する方法は、帯域内配置モードであることを示す上位層信号を受信するステップと、ＮＢ−ＩｏＴシステムのために構成された狭帯域プライマリ同期信号（Ｍ−ＰＳＳ）及び狭帯域セカンダリ同期信号（Ｍ−ＳＳＳ）を受信するステップと、Ｍ−ＰＳＳ及びＭ−ＳＳＳからＮＢ−ＩｏＴシステムのセル識別子（Ｎ−Ｃｅｌｌ  ＩＤ）を取得するステップと、帯域内配置モードでＮ−Ｃｅｌｌ  ＩＤを用いてＭ−ＰＢＣＨを受信するステップとを含むことができる。このとき、帯域内配置モードはＮＢ−ＩｏＴシステムがレガシーＬＴＥシステムの帯域内に構成されることを表すことができる。
【００１１】
この態様の一側面であって、上記Ｍ−ＰＢＣＨを受信するステップは、Ｎ−Ｃｅｌｌ  ＩＤを用いてレガシーシステムのセル特定参照信号（ＣＲＳ）に対する周波数遷移値（ｖ−ｓｈｉｆｔ）を計算するステップと、周波数遷移値を考慮してＣＲＳが割り当てられるリソース要素を推定するステップとを含むことができる。このとき、端末がレガシーシステムで支援可能な最大ＣＲＳアンテナポート個数を仮定して周波数遷移値を計算することができる。
【００１２】
このとき、端末は、推定したＣＲＳが割り当てられるリソース要素以外のリソース領域でＭ−ＰＢＣＨを受信することができる。
【００１３】
この態様の他の側面であって、上記Ｍ−ＰＢＣＨを受信するステップは、Ｎ−Ｃｅｌｌ  ＩＤを用いてＭＢ−ＩｏＴシステムのセル特定参照信号（Ｍ−ＣＲＳ）に対する周波数遷移値を計算するステップと、周波数遷移値を考慮して、Ｍ−ＣＲＳが割り当てられるリソース要素を推定するステップとを含むことができる。このとき、端末がＭ−ＣＲＳが送信されるアンテナポートの個数を特定値と仮定して周波数遷移値を計算することができる。
【００１４】
端末は、推定したＭ−ＣＲＳが割り当てられるリソース要素以外のリソース領域でＭ−ＰＢＣＨを受信することができる。
【００１５】
この態様の更に他の側面であって、上記Ｍ−ＰＢＣＨを受信するステップは、Ｎ−Ｃｅｌｌ  ＩＤを用いてＭＢ−ＩｏＴシステムのセル特定参照信号（Ｍ−ＣＲＳ）に対する周波数遷移値を計算するステップと、周波数遷移値を考慮してＭ−ＣＲＳが割り当てられるリソース要素を推定するステップとをさらに含むことができる。このとき、ＣＲＳが割り当てられるリソース要素及びＭ−ＣＲＳが割り当てられるリソース要素以外のリソース領域でＭ−ＰＢＣＨを受信することができる。
【００１６】
本発明の他の態様であって、狭帯域モノのインターネット（ＮＢ−ＩｏＴ）システムを支援する無線接続システムにおいて物理下りリンク放送チャネル（Ｍ−ＰＢＣＨ）を受信する端末は、受信器と、該受信器を制御するプロセッサとを含むことができる。このとき、プロセッサは、帯域内配置モードであることを示す上位層信号を受信器を制御して受信し、ＮＢ−ＩｏＴシステムのために構成された狭帯域プライマリ同期信号（Ｍ−ＰＳＳ）及び狭帯域セカンダリ同期信号（Ｍ−ＳＳＳ）を受信器を制御して受信し、Ｍ−ＰＳＳ及びＭ−ＳＳＳからＮＢ−ＩｏＴシステムのセル識別子（Ｎ−Ｃｅｌｌ  ＩＤ）を取得し、帯域内配置モードでＮ−Ｃｅｌｌ  ＩＤを用いてＭ−ＰＢＣＨを受信器を制御して受信するように構成されてもよい。このとき、帯域内配置モードは、ＮＢ−ＩｏＴシステムがレガシーＬＴＥシステムの帯域内に構成されることを表すことができる。
【００１７】
上記他の態様の一側面であって、プロセッサはさらに、Ｍ−ＰＢＣＨを受信するために、Ｎ−Ｃｅｌｌ  ＩＤを用いてレガシーシステムのセル特定参照信号（ＣＲＳ）に対する周波数遷移値（ｖ−ｓｈｉｆｔ）を計算し、周波数遷移値を考慮してＣＲＳが割り当てられるリソース要素を推定するように構成されてもよい。このとき、周波数遷移値は、プロセッサがレガシーシステムで支援可能な最大ＣＲＳアンテナポート個数を仮定して周波数遷移値を計算することができる。
【００１８】
このとき、プロセッサは推定したＣＲＳが割り当てられるリソース要素以外のリソース領域で受信器を制御してＭ−ＰＢＣＨを受信するように構成されてもよい。
【００１９】
上記他の態様の他の側面であって、プロセッサはさらに、Ｎ−Ｃｅｌｌ  ＩＤを用いてＭＢ−ＩｏＴシステムのセル特定参照信号（Ｍ−ＣＲＳ）に対する周波数遷移値を計算し、周波数遷移値を考慮してＭ−ＣＲＳが割り当てられるリソース要素を推定するように構成されてもよい。このとき、プロセッサがＭ−ＣＲＳが送信されるアンテナポートの個数を特定値と仮定して周波数遷移値を計算することができる。
【００２０】
このとき、プロセッサは推定したＭ−ＣＲＳが割り当てられるリソース要素以外のリソース領域で受信器を制御してＭ−ＰＢＣＨを受信することができる。
【００２１】
上記他の態様の更に他の側面であって、プロセッサはＭ−ＰＢＣＨを受信するためにＮ−Ｃｅｌｌ  ＩＤを用いてＭＢ−ＩｏＴシステムのセル特定参照信号（Ｍ−ＣＲＳ）に対する周波数遷移値を計算し、周波数遷移値を考慮して、Ｍ−ＣＲＳが割り当てられるリソース要素を推定するようによって構成され、プロセッサはＣＲＳが割り当てられるリソース要素及びＭ−ＣＲＳが割り当てられるリソース要素以外のリソース領域で受信器を制御してＭ−ＰＢＣＨを受信するように構成されてもよい。
【００２２】
上述した本発明の態様は、本発明の好適な実施形態の一部に過ぎず、本願発明の技術的特徴が反映された様々な実施形態が、当該技術の分野における通常の知識を有する者にとって、以下に詳述する本発明の詳細な説明に基づいて導出され、理解されるであろう。
【発明の効果】
【００２３】
本発明の実施形態によると次のような効果がある。
【００２４】
第一に、ＮＢ−ＩｏＴ端末のためのデータ及び／又は制御情報を効率的に送受信することができる。
【００２５】
第二に、帯域内配置モードの端末に対する上りリンク及び下りリンク物理チャネルを送受信する方法を提供することができる。
【００２６】
第三に、ＮＢ−ＩｏＴ端末のためのＭ−ＣＲＳが定義される環境においてＭ−ＰＢＣＨが割り当てられるＲＥとＭ−ＣＲＳが割り当てられるＲＥとの衝突を防止することができる。
【００２７】
第四に、ＮＢ−ＩｏＴ端末のためのＭ−ＣＲＳとレガシーＣＲＳとが混在する環境においてもＭ−ＰＢＣＨを正確に送受信することができる。
【００２８】
本発明の実施形態から得られる効果は、以上で言及した効果に制限されず、言及していない他の効果は、以下の本発明の実施形態に関する記載から、本発明の属する技術の分野における通常の知識を有する者にとって明確に導出され理解されるであろう。すなわち、本発明を実施する上で意図していない効果も、本発明の実施形態から、当該技術の分野における通常の知識を有する者によって導出可能である。
【図面の簡単な説明】
【００２９】
本発明に関する理解を助けるために詳細な説明の一部として含まれる添付の図面は、本発明に関する様々な実施形態を提供する。また、添付の図面は、詳細な説明と共に本発明の実施の形態を説明するために用いられる。
【図１】物理チャネル及びこれらを用いた信号送信方法を説明するための図である。
【図２】無線フレームの構造の一例を示す図である。
【図３】下りリンクスロットに対するリソースグリッド（ｒｅｓｏｕｒｃｅ  ｇｒｉｄ）を例示する図である。
【図４】上りリンクサブフレームの構造の一例を示す図である。
【図５】下りリンクサブフレームの構造の一例を示す図である。
【図６】コンポーネントキャリア（ＣＣ）及びＬＴＥ−Ａシステムで用いられるキャリア併合の一例を示す図である。
【図７】クロスキャリアスケジューリングによるＬＴＥ−Ａシステムのサブフレームの構造を示す図である。
【図８】ＣＡ環境で動作するＣｏＭＰシステムの概念図である。
【図９】本発明の実施例において使用可能なセル特定参照信号（ＣＲＳ：Ｃｅｌｌ  ｓｐｅｃｉｆｉｃ  Ｒｅｆｅｒｅｎｃｅ  Ｓｉｇｎａｌ）が割り当てられたサブフレームの一例を示す図である。
【図１０】本発明の実施例において使用可能なＣＳＩ−ＲＳがアンテナポートの個数によって割り当てられたサブフレームの一例を示す図である。
【図１１】ＬＴＥ／ＬＴＥ−Ａシステムにおいて用いられるレガシーＰＤＣＣＨ（Ｌｅｇａｃｙ  ＰＤＣＣＨ）、ＰＤＳＣＨ及びＥ−ＰＤＣＣＨが多重化される一例を示す図である。
【図１２】同期信号が送信される位置を表すフレーム構造の一例を示す図である。
【図１３】セカンダリ同期信号を生成する方法の一つを示す図である。
【図１４】システム帯域幅のＰＲＢ個数によるＰＳＳ／ＳＳＳ、ＰＢＣＨの送信が可能なＰＲＢ集合を説明するための図である。
【図１５】ＮＢ−ＩｏＴシステムにおいて用いられるＭ−ＰＳＳ及びＭ−ＳＳＳフレーム構造を説明するための図である。
【図１６】Ｍ−ＰＳＳを生成するための過程を説明するための図である。
【図１７】Ｍ−ＳＳＳを生成するための過程を説明するための図である。
【図１８】Ｍ−ＰＢＣＨを送受信する一方法を説明するための図である。
【図１９】Ｍ−ＰＢＣＨを送受信する他の方法を説明するための図である。
【図２０】図１〜図１９で説明した方法を具現可能な手段を示す図である。
【発明を実施するための形態】
【００３０】
以下に詳しく説明する本発明の実施例は、狭帯域モノのインターネット（ＮＢ−ＩｏＴ：Ｎａｒｒｏｗ  Ｂａｎｄ  Ｉｎｔｅｒｎｅｔ  ｏｆ  Ｔｈｉｎｇｓ）を支援する無線接続システムに関し、特に、帯域内動作を支援する場合に下りリンク／上りリンク物理チャネルを送受信する方法及び装置に関する。
【００３１】
以下の実施例は、本発明の構成要素と特徴を所定の形態で結合したものである。各構成要素又は特徴は、別の明示的な言及がない限り、選択的なものとして考慮することができる。各構成要素又は特徴は、他の構成要素や特徴と結合しない形態で実施することができる。また、一部の構成要素及び／又は特徴を結合して本発明の実施例を構成することもできる。本発明の実施例で説明する動作の順序は変更してもよい。ある実施例の一部の構成や特徴は他の実施例に含まれてもよく、又は他の実施例の対応する構成又は特徴に取り替えられてもよい。
【００３２】
図面に関する説明において、本発明の要旨を曖昧にさせうる手順又は段階などは記述を省略し、当業者のレベルで理解できるような手順又は段階も記述を省略した。
【００３３】
明細書全般にわたり、ある部分がある構成要素を“含む（ｃｏｍｐｒｉｓｉｎｇ又はｉｎｃｌｕｄｉｎｇ）”というとき、これは特に反対する記載がない限り他の構成要素を排除するものではなくて他の構成要素をさらに含むことができることを意味する。また、明細書に記載した“…部”、“…機”、“モジュール”などの用語は少なくとも一つの機能又は動作を処理する単位を意味し、これはハードウェア又はソフトウェアあるいはハードウェア及びソフトウェアの結合で具現されることができる。また、“一（ａ又はａｎ）”、“一つ（ｏｎｅ）”、“その（ｔｈｅ）”及び類似関連語は本発明を記述する文脈において（特に、以下の請求項の文脈で）本明細書に他に指示されるか文脈によって明らかに反駁されることがない限り、単数及び複数のいずれも含む意味として使われることができる。
【００３４】
本明細書で、本発明の実施例は、基地局と移動局との間のデータ送受信関係を中心に説明した。ここで、基地局は移動局と直接通信を行うネットワークの終端ノード（ｔｅｒｍｉｎａｌｎｏｄｅ）としての意味を有する。本文書で基地局によって行われるとした特定動作は、場合によっては、基地局の上位ノード（ｕｐｐｅｒ  ｎｏｄｅ）によって行われてもよい。
【００３５】
すなわち、基地局を含む複数のネットワークノード（ｎｅｔｗｏｒｋ  ｎｏｄｅｓ）からなるネットワークで移動局との通信のために行われる様々な動作は、基地局又は基地局以外の他のネットワークノードによって行われてもよい。ここで、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）又はアクセスポイント（ａｃｃｅｓｓ  ｐｏｉｎｔ）などの用語に代えてもよい。
【００３６】
また、本発明の実施例でいう「端末（Ｔｅｒｍｉｎａｌ）」は、ユーザ機器（ＵＥ：Ｕｓｅｒ  Ｅｑｕｉｐｍｅｎｔ）、移動局（ＭＳ：Ｍｏｂｉｌｅ  Ｓｔａｔｉｏｎ）、加入者端末（ＳＳ：Ｓｕｂｓｃｒｉｂｅｒ  Ｓｔａｔｉｏｎ）、移動加入者端末（ＭＳＳ：Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、又は発展した移動端末（ＡＭＳ：Ａｄｖａｎｃｅｄ  Ｍｏｂｉｌｅ  Ｓｔａｔｉｏｎ）などの用語に代えてもよい。
【００３７】
また、送信端は、データサービス又は音声サービスを提供する固定及び／又は移動ノードを意味し、受信端は、データサービス又は音声サービスを受信する固定及び／又は移動ノードを意味する。そのため、上りリンクでは、移動局を送信端とし、基地局を受信端とすることができる。同様に、下りリンクでは、移動局を受信端とし、基地局を送信端とすることができる。
【００３８】
本発明の実施例は、無線接続システムであるＩＥＥＥ  ８０２．ｘｘシステム、３ＧＰＰ（３ｒｄ  Ｇｅｎｅｒａｔｉｏｎ  Ｐａｒｔｎｅｒｓｈｉｐ  Ｐｒｏｊｅｃｔ）システム、３ＧＰＰ  ＬＴＥシステム及び３ＧＰＰ２システムのうち少なくとも一つに開示された標準文書によって裏付けることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１及び３ＧＰＰ  ＴＳ  ３６．３３１の文書によって裏付けることができる。すなわち、本発明の実施例において説明していない自明な段階又は部分は、上記の文書を参照して説明することができる。また、本文書で開示している用語はいずれも上記の標準文書によって説明することができる。
【００３９】
以下、本発明に係る好適な実施の形態を、添付の図面を参照して詳しく説明する。添付の図面と共に以下に開示される詳細な説明は、本発明の例示的な実施の形態を説明するためのもので、本発明が実施されうる唯一の実施の形態を示すためのものではない。
【００４０】
また、本発明の実施例で使われる特定用語は、本発明の理解を助けるために提供されたもので、このような特定用語の使用は、本発明の技術的思想を逸脱しない範囲で他の形態に変更してもよい。
【００４１】
以下では本発明の実施形態を使える無線接続システムの一例として３ＧＰＰ  ＬＴＥ／ＬＴＥ−Ａシステムについて説明する。
【００４２】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに適用することができる。
【００４３】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。
【００４４】
ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ  ＬＴＥ（Ｌｏｎｇ  Ｔｅｒｍ  Ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であって、下りリンクでＯＦＤＭＡを採用し、上りリンクでＳＣ−ＦＤＭＡを採用する。ＬＴＥ−Ａ（Ａｄｖａｎｃｅｄ）システムは、３ＧＰＰ  ＬＴＥシステムの改良されたシステムである。本発明の技術的特徴に関する説明を明確にするために、本発明の実施例を３ＧＰＰ  ＬＴＥ／ＬＴＥ−Ａシステムを中心に説明するが、ＩＥＥＥ  ８０２．１６ｅ／ｍシステムなどに適用してもよい。
【００４５】
１．  ３ＧＰＰ  ＬＴＥ／ＬＴＥ＿Ａシステム
【００４６】
無線接続システムにおいて、端末は下りリンク（ＤＬ：Ｄｏｗｎｌｉｎｋ）を介して基地局から情報を受信し、上りリンク（ＵＬ：Ｕｐｌｉｎｋ）を介して基地局に情報を送信する。基地局と端末が送受信する情報は、一般データ情報及び様々な制御情報を含み、これらが送受信する情報の種類／用途によって様々な物理チャネルが存在する。
【００４７】
１．１  システム一般
【００４８】
図１は、本発明の実施例で使用できる物理チャネル及びこれらを用いた信号送信方法を説明するための図である。
【００４９】
電源が消えた状態で再び電源がついたり、新しくセルに進入したりした端末は、Ｓ１１段階で基地局と同期を取るなどの初期セル探索（Ｉｎｉｔｉａｌ  ｃｅｌｌ  ｓｅａｒｃｈ）作業を行う。そのために、端末は基地局から１次同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及び２次同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を取得する。
【００５０】
その後、端末は、基地局から物理放送チャネル（ＰＢＣＨ：Ｐｈｙｓｉｃａｌ  Ｂｒｏａｄｃａｓｔ  Ｃｈａｎｎｅｌ）信号を受信してセル内放送情報を取得することができる。
【００５１】
一方、端末は、初期セル探索段階で下りリンク参照信号（ＤＬ  ＲＳ：Ｄｏｗｎｌｉｎｋ  Ｒｅｆｅｒｅｎｃｅ  Ｓｉｇｎａｌ）を受信して下りリンクチャネル状態を確認することができる。
【００５２】
初期セル探索を終えた端末は、Ｓ１２段階で、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び物理下りリンク制御チャネル情報に基づく物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を受信し、より具体的なシステム情報を取得することができる。
【００５３】
その後、端末は、基地局への接続を完了するために、段階Ｓ１３乃至段階Ｓ１６のようなランダムアクセス過程（Ｒａｎｄｏｍ  Ａｃｃｅｓｓ  Ｐｒｏｃｅｄｕｒｅ）を行うことができる。そのために、端末は、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を介してプリアンブル（ｐｒｅａｍｂｌｅ）を送信し（Ｓ１３）、物理下りリンク制御チャネル及びこれに対応する物理下りリンク共有チャネルを介してプリアンブルに対する応答メッセージを受信することができる（Ｓ１４）。競合ベースのランダムアクセスでは、端末は、さらなる物理ランダムアクセスチャネル信号の送信（Ｓ１５）、及び物理下りリンク制御チャネル信号及びこれに対応する物理下りリンク共有チャネル信号の受信（Ｓ１６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００５４】
上述したような手順を行った端末は、その後、一般的な上りリンク／下りリンク信号送信手順として、物理下りリンク制御チャネル信号及び／又は物理下りリンク共有チャネル信号の受信（Ｓ１７）、及び物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）信号及び／又は物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）信号の送信（Ｓ１８）を行うことができる。
【００５５】
端末が基地局に送信する制御情報を総称して、上りリンク制御情報（ＵＣＩ：Ｕｐｌｉｎｋ  Ｃｏｎｔｒｏｌ  Ｉｎｆｏｒｍａｔｉｏｎ）という。ＵＣＩは、ＨＡＲＱ−ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）情報などを含む。
【００５６】
ＬＴＥシステムにおいて、ＵＣＩは、一般的にＰＵＣＣＨを介して周期的に送信するが、制御情報とトラフィックデータが同時に送信されるべき場合にはＰＵＳＣＨを介して送信してもよい。また、ネットワークの要求／指示に応じてＰＵＳＣＨを介してＵＣＩを非周期的に送信してもよい。
【００５７】
図２には、本発明の実施例で用いられる無線フレームの構造を示す。
【００５８】
図２（ａ）は、タイプ１フレーム構造（ｆｒａｍｅ  ｓｔｒｕｃｔｕｒｅ  ｔｙｐｅ  １）を示す。タイプ１フレーム構造は、全二重（ｆｕｌｌ  ｄｕｐｌｅｘ）ＦＤＤ（Ｆｒｅｑｕｅｎｃｙ  Ｄｉｖｉｓｉｏｎ  Ｄｕｐｌｅｘ）システムと半二重（ｈａｌｆ  ｄｕｐｌｅｘ）ＦＤＤシステムの両方に適用することができる。
【００５９】
１無線フレーム（ｒａｄｉｏ  ｆｒａｍｅ）は、
0006637164.tif 000002
の長さを有し、
0006637164.tif 000003
の均等な長さを有し、０から１９までのインデックスが与えられた２０個のスロットで構成される。１サブフレームは、２個の連続したスロットと定義され、ｉ番目のサブフレームは、２ｉ及び２ｉ＋１に該当するスロットで構成される。すなわち、無線フレーム（ｒａｄｉｏ  ｆｒａｍｅ）は、１０個のサブフレーム（ｓｕｂｆｒａｍｅ）で構成される。１サブフレームを送信するのにかかる時間をＴＴＩ（ｔｒａｎｓｍｉｓｓｉｏｎ  ｔｉｍｅ  ｉｎｔｅｒｖａｌ）という。ここで、Ｔｓはサンプリング時間を表し、Ｔｓ＝１／（１５ｋＨｚ×２０４８）＝３．２５５２×１０−８（約３３ｎｓ）と表示される。スロットは、時間領域で複数のＯＦＤＭシンボル又はＳＣ−ＦＤＭＡシンボルを含み、周波数領域で複数のリソースブロック（Ｒｅｓｏｕｒｃｅ  Ｂｌｏｃｋ）を含む。
【００６０】
１スロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥは、下りリンクでＯＦＤＭＡを使うので、ＯＦＤＭシンボルは１シンボル区間（ｓｙｍｂｏｌ  ｐｅｒｉｏｄ）を表現するためのものである。ＯＦＤＭシンボルは、１つのＳＣ−ＦＤＭＡシンボル又はシンボル区間ということができる。リソースブロック（ｒｅｓｏｕｒｃｅ  ｂｌｏｃｋ）は、リソース割当て単位であって、１スロットで複数の連続した副搬送波（ｓｕｂｃａｒｒｉｅｒ）を含む。
【００６１】
全二重ＦＤＤシステムでは、各１０ｍｓ区間で１０個のサブフレームを下りリンク送信と上りリンク送信のために同時に利用することができる。このとき、上りリンク送信と下りリンク送信は周波数領域で区別される。一方、半二重ＦＤＤシステムでは、端末は送信と受信を同時に行うことができない。
【００６２】
上述した無線フレームの構造は一つの例示に過ぎず、無線フレームに含まれるサブフレームの数、サブフレームに含まれるスロットの数、又はスロットに含まれるＯＦＤＭシンボルの数は様々に変更されてもよい。
【００６３】
図２（ｂ）には、タイプ２フレーム構造（ｆｒａｍｅ  ｓｔｒｕｃｔｕｒｅ  ｔｙｐｅ  ２）を示す。タイプ２フレーム構造はＴＤＤシステムに適用される。１無線フレームは、
0006637164.tif 000004
の長さを有し、
0006637164.tif 000005
の長さを有する２個のハーフフレーム（ｈａｌｆ−ｆｒａｍｅ）で構成される。各ハーフフレームは、
0006637164.tif 000006
の長さを有する５個のサブフレームで構成される。ｉ番目のサブフレームは、２ｉ及び２ｉ＋１に該当する各
0006637164.tif 000007
の長さを有する２個のスロットで構成される。ここで、Ｔｓは、サンプリング時間を表し、Ｔｓ＝１／（１５ｋＨｚ×２０４８）＝３．２５５２×１０−８（約３３ｎｓ）で表示される。
【００６４】
タイプ２フレームは、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成される特別サブフレームを含む。ここで、ＤｗＰＴＳは、端末での初期セル探索、同期化又はチャネル推定に用いられる。ＵｐＰＴＳは、基地局でのチャネル推定と端末の上り送信同期を取るために用いられる。保護区間は、上りリンクと下りリンクとの間において下りリンク信号の多重経路遅延によって上りリンクで生じる干渉を除去するための区間である。
【００６５】
下記の表１に、特別フレームの構成（ＤｗＰＴＳ／ＧＰ／ＵｐＰＴＳの長さ）を示す。
【００６６】
【表１】
0006637164.tif 000008
【００６７】
図３は、本発明の実施例で使用できる下りリンクスロットのリソースグリッド（ｒｅｓｏｕｒｃｅ  ｇｒｉｄ）を例示する図である。
【００６８】
図３を参照すると、１つの下りリンクスロットは、時間領域で複数のＯＦＤＭシンボルを含む。ここで、１つの下りリンクスロットは、７個のＯＦＤＭシンボルを含み、１つのリソースブロックは周波数領域で１２個の副搬送波を含むとするが、これに限定されるものではない。
【００６９】
リソースグリッド上で各要素（ｅｌｅｍｅｎｔ）をリソース要素（ｒｅｓｏｕｒｃｅ  ｅｌｅｍｅｎｔ）とし、１つのリソースブロックは１２×７個のリソース要素を含む。下りリンクスロットに含まれるリソースブロックの数ＮＤＬは、下りリンク送信帯域幅（ｂａｎｄｗｉｄｔｈ）に依存する。上りリンクスロットの構造は、下りリンクスロットの構造と同一であってもよい。
【００７０】
図４は、本発明の実施例で使用できる上りリンクサブフレームの構造を示す。
【００７１】
図４を参照すると、上りリンクサブフレームは、周波数領域で制御領域とデータ領域とに区別される。制御領域には、上りリンク制御情報を運ぶＰＵＣＣＨが割り当てられる。データ領域には、ユーザデータを運ぶＰＵＳＣＨが割り当てられる。単一搬送波特性を維持するために、一つの端末はＰＵＣＣＨとＰＵＳＣＨを同時に送信しない。一つの端末に対するＰＵＣＣＨにはサブフレーム内にＲＢ対が割り当てられる。ＲＢ対に属するＲＢは、２個のスロットのそれぞれで異なる副搬送波を占める。これを、ＰＵＣＣＨに割り当てられたＲＢ対はスロットの境界（ｓｌｏｔ  ｂｏｕｎｄａｒｙ）で周波数跳躍（ｆｒｅｑｕｅｎｃｙ  ｈｏｐｐｉｎｇ）するという。
【００７２】
図５には、本発明の実施例で使用できる下りリンクサブフレームの構造を示す。
【００７３】
図５を参照すると、サブフレームにおける第一のスロットでＯＦＤＭシンボルインデックス０から最大３個のＯＦＤＭシンボルが、制御チャネルが割り当てられる制御領域（ｃｏｎｔｒｏｌ  ｒｅｇｉｏｎ）であり、残りのＯＦＤＭシンボルが、ＰＤＳＣＨが割り当てられるデータ領域（ｄａｔａ  ｒｅｇｉｏｎ）である。３ＧＰＰ  ＬＴＥで用いられる下りリンク制御チャネルの例には、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００７４】
ＰＣＦＩＣＨは、サブフレームにおける最初のＯＦＤＭシンボルで送信され、サブフレーム内に制御チャネルの送信のために使われるＯＦＤＭシンボルの数（すなわち、制御領域のサイズ）に関する情報を運ぶ。ＰＨＩＣＨは、上りリンクに対する応答チャネルであって、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号を運ぶ。ＰＤＣＣＨを介して送信される制御情報を下りリンク制御情報（ＤＣＩ：ｄｏｗｎｌｉｎｋ  ｃｏｎｔｒｏｌ  ｉｎｆｏｒｍａｔｉｏｎ）という。下りリンク制御情報は、上りリンクリソース割当て情報、下りリンクリソース割当て情報、又は任意の端末グループに対する上りリンク送信（Ｔｘ）電力制御命令を含む。
【００７５】
１．２  ＰＤＣＣＨ（Ｐｈｙｓｉｃａｌ  Ｄｏｗｎｌｉｎｋ  Ｃｏｎｔｒｏｌ  Ｃｈａｎｎｅｌ）
【００７６】
１．２．１  ＰＤＣＣＨ一般
【００７７】
ＰＤＣＣＨは、ＤＬ−ＳＣＨ（Ｄｏｗｎｌｉｎｋ  Ｓｈａｒｅｄ  Ｃｈａｎｎｅｌ）のリソース割当て及び送信フォーマット（すなわち、下りリンクグラント（ＤＬ−Ｇｒａｎｔ））、ＵＬ−ＳＣＨ（Ｕｐｌｉｎｋ  Ｓｈａｒｅｄ  Ｃｈａｎｎｅｌ）のリソース割当て情報（すなわち、上りリンクグラント（ＵＬ−Ｇｒａｎｔ））、ＰＣＨ（Ｐａｇｉｎｇ  Ｃｈａｎｎｅｌ）におけるページング（ｐａｇｉｎｇ）情報、ＤＬ−ＳＣＨにおけるシステム情報、ＰＤＳＣＨで送信されるランダムアクセス応答（ｒａｎｄｏｍ  ａｃｃｅｓｓ  ｒｅｓｐｏｎｓｅ）のような上位レイヤ（ｕｐｐｅｒ−ｌａｙｅｒ）制御メッセージに対するリソース割当て、任意の端末グループ内の個別端末に対する送信電力制御命令の集合、ＶｏＩＰ（Ｖｏｉｃｅ  ｏｖｅｒ  ＩＰ）活性化の有無に関する情報などを運ぶことができる。
【００７８】
複数のＰＤＣＣＨが制御領域内で送信されてもよく、端末は複数のＰＤＣＣＨをモニタすることができる。ＰＤＣＣＨは、１つ又は複数の連続したＣＣＥ（ｃｏｎｔｒｏｌ  ｃｈａｎｎｅｌ  ｅｌｅｍｅｎｔｓ）の集合（ａｇｇｒｅｇａｔｉｏｎ）で構成される。１つ又は複数の連続したＣＣＥの集合で構成されたＰＤＣＣＨは、サブブロックインタリービング（ｓｕｂｂｌｏｃｋ  ｉｎｔｅｒｌｅａｖｉｎｇ）を経た後、制御領域を通して送信することができる。ＣＣＥは、無線チャネルの状態による符号化率をＰＤＣＣＨに提供するために使われる論理的割当て単位である。ＣＣＥは、複数のリソース要素グループ（ＲＥＧ：ｒｅｓｏｕｒｃｅ  ｅｌｅｍｅｎｔ  ｇｒｏｕｐ）に対応する。ＣＣＥの数とＣＣＥによって提供される符号化率との関係によってＰＤＣＣＨのフォーマット及び可能なＰＤＣＣＨのビット数が決定される。
【００７９】
１．２．２  ＰＤＣＣＨ構造
【００８０】
複数の端末に対する多重化された複数のＰＤＣＣＨが制御領域内で送信されてもよい。ＰＤＣＣＨは１つ又は２つ以上の連続したＣＣＥの集合（ＣＣＥ  ａｇｇｒｅｇａｔｉｏｎ）で構成される。ＣＣＥは、４個のリソース要素で構成されたＲＥＧの９個のセットに対応する単位のことを指す。各ＲＥＧには４個のＱＰＳＫ（Ｑｕａｄｒａｔｕｒｅ  Ｐｈａｓｅ  Ｓｈｉｆｔ  Ｋｅｙｉｎｇ）シンボルがマップされる。参照信号（ＲＳ：Ｒｅｆｅｒｅｎｃｅ  Ｓｉｇｎａｌ）によって占有されたリソース要素はＲＥＧに含まれない。すなわち、ＯＦＤＭシンボル内でのＲＥＧの総個数は、セル特定参照信号が存在するか否かによって異なってくることがある。４個のリソース要素を１つのグループにマップするＲＥＧの概念は、他の下りリンク制御チャネル（例えば、ＰＣＦＩＣＨ又はＰＨＩＣＨ）にも適用することができる。ＰＣＦＩＣＨ又はＰＨＩＣＨに割り当てられないＲＥＧを
0006637164.tif 000009
とすれば、システムで利用可能なＣＣＥの個数は
0006637164.tif 000010
であり、各ＣＣＥは０から
0006637164.tif 000011
までのインデックスを有する。
【００８１】
端末のデコーティングプロセスを単純化するために、ｎ個のＣＣＥを含むＰＤＣＣＨフォーマットは、ｎの倍数と同じインデックスを有するＣＣＥから始まってもよい。すなわち、ＣＣＥインデックスがｉである場合、
0006637164.tif 000012
を満たすＣＣＥから始まってもよい。
【００８２】
基地局は１つのＰＤＣＣＨ信号を構成するために｛１，２，４，８｝個のＣＣＥを使うことができ、ここで、｛１，２，４，８｝をＣＣＥ集合レベル（ａｇｇｒｅｇａｔｉｏｎ  ｌｅｖｅｌ）と呼ぶ。特定ＰＤＣＣＨの送信のために使われるＣＣＥの個数はチャネル状態によって基地局で決定される。例えば、良好な下りリンクチャネル状態（基地局に近接している場合）を有する端末のためのＰＤＣＣＨは、１つのＣＣＥだけで十分でありうる。一方、よくないチャネル状態（セル境界にある場合）を有する端末の場合は、８個のＣＣＥが十分な堅牢さ（ｒｏｂｕｓｔｎｅｓｓ）のために要求されることがある。しかも、ＰＤＣＣＨの電力レベルも、チャネル状態にマッチして調節されてもよい。
【００８３】
下記の表２にＰＤＣＣＨフォーマットを示す。ＣＣＥ集合レベルによって、表２のように４つのＰＤＣＣＨフォーマットが支援される。
【００８４】
【表２】
0006637164.tif 000013
【００８５】
端末ごとにＣＣＥ集合レベルが異なる理由は、ＰＤＣＣＨに載せられる制御情報のフォーマット又はＭＣＳ（Ｍｏｄｕｌａｔｉｏｎ  ａｎｄ  Ｃｏｄｉｎｇ  Ｓｃｈｅｍｅ）レベルが異なるためである。ＭＣＳレベルは、データコーディングに用いられるコードレート（ｃｏｄｅ  ｒａｔｅ）と変調序列（ｍｏｄｕｌａｔｉｏｎ  ｏｒｄｅｒ）を意味する。適応的なＭＣＳレベルはリンク適応（ｌｉｎｋ  ａｄａｐｔａｔｉｏｎ）のために用いられる。一般に、制御情報を送信する制御チャネルでは３〜４個程度のＭＣＳレベルを考慮することができる。
【００８６】
制御情報のフォーマットを説明すると、ＰＤＣＣＨを介して送信される制御情報を下りリンク制御情報（ＤＣＩ）という。ＤＣＩフォーマットによってＰＤＣＣＨペイロード（ｐａｙｌｏａｄ）に載せられる情報の構成が異なることがある。ＰＤＣＣＨペイロードは、情報ビット（ｉｎｆｏｒｍａｔｉｏｎ  ｂｉｔ）を意味する。下記の表３は、ＤＣＩフォーマットによるＤＣＩを示すものである。
【００８７】
【表３】
0006637164.tif 000014
【００８８】
表３を参照すると、ＤＣＩフォーマットには、ＰＵＳＣＨスケジューリングのためのフォーマット０、１つのＰＤＳＣＨコードワードのスケジューリングのためのフォーマット１、１つのＰＤＳＣＨコードワードの簡単な（ｃｏｍｐａｃｔ）スケジューリングのためのフォーマット１Ａ、ＤＬ−ＳＣＨの非常に簡単なスケジューリングのためのフォーマット１Ｃ、閉ループ（Ｃｌｏｓｅｄ−ｌｏｏｐ）空間多重化（ｓｐａｔｉａｌ  ｍｕｌｔｉｐｌｅｘｉｎｇ）モードでのＰＤＳＣＨスケジューリングのためのフォーマット２、開ループ（Ｏｐｅｎ−ｌｏｏｐ）空間多重化モードでのＰＤＳＣＨスケジューリングのためのフォーマット２Ａ、上りリンクチャネルのためのＴＰＣ（Ｔｒａｎｓｍｉｓｓｉｏｎ  Ｐｏｗｅｒ  Ｃｏｎｔｒｏｌ）命令の送信のためのフォーマット３及び３Ａがある。ＤＣＩフォーマット１Ａは、端末にいずれの送信モードが設定されてもＰＤＳＣＨスケジューリングのために用いることができる。
【００８９】
ＤＣＩフォーマットによってＰＤＣＣＨペイロード長が変わることがある。また、ＰＤＣＣＨペイロードの種類とそれによる長さは、簡単な（ｃｏｍｐａｃｔ）スケジューリングであるか否か、又は端末に設定された送信モード（ｔｒａｎｓｍｉｓｓｉｏｎ  ｍｏｄｅ）などによって異なってもよい。
【００９０】
送信モードは、端末がＰＤＳＣＨを介した下りリンクデータを受信するように設定（ｃｏｎｆｉｇｕｒａｔｉｏｎ）することができる。例えば、ＰＤＳＣＨを介した下りリンクデータには、端末にスケジュールされたデータ（ｓｃｈｅｄｕｌｅｄ  ｄａｔａ）、ページング、ランダムアクセス応答、又はＢＣＣＨを介したブロードキャスト情報などがある。ＰＤＳＣＨを介した下りリンクデータは、ＰＤＣＣＨを介してシグナルされるＤＣＩフォーマットと関係がある。送信モードは、上位層シグナリング（例えば、ＲＲＣ（Ｒａｄｉｏ  Ｒｅｓｏｕｒｃｅ  Ｃｏｎｔｒｏｌ）シグナリング）によって端末に半静的に（ｓｅｍｉ−ｓｔａｔｉｃａｌｌｙ）設定することができる。送信モードは、シングルアンテナ送信（Ｓｉｎｇｌｅ  ａｎｔｅｎｎａ  ｔｒａｎｓｍｉｓｓｉｏｎ）又はマルチアンテナ（Ｍｕｌｔｉ−ａｎｔｅｎｎａ）送信に区別できる。
【００９１】
端末は、上位層シグナリングによって半静的（ｓｅｍｉ−ｓｔａｔｉｃ）に送信モードが設定される。例えば、マルチアンテナ送信には、送信ダイバーシティ（Ｔｒａｎｓｍｉｔ  ｄｉｖｅｒｓｉｔｙ）、開ループ（Ｏｐｅｎ−ｌｏｏｐ）又は閉ループ（Ｃｌｏｓｅｄ−ｌｏｏｐ）空間多重化（Ｓｐａｔｉａｌ  ｍｕｌｔｉｐｌｅｘｉｎｇ）、ＭＵ−ＭＩＭＯ（Ｍｕｌｔｉ−ｕｓｅｒ−Ｍｕｌｔｉｐｌｅ  Ｉｎｐｕｔ  Ｍｕｌｔｉｐｌｅ  Ｏｕｔｐｕｔ）、及びビーム形成（Ｂｅａｍｆｏｒｍｉｎｇ）などがある。送信ダイバーシティは、多重送信アンテナで同一のデータを送信して送信信頼度を高める技術である。空間多重化は、多重送信アンテナで互いに異なるデータを同時に送信し、システムの帯域幅を増加させることなく高速のデータを送信できる技術である。ビーム形成は、多重アンテナでチャネル状態による加重値を与えて信号のＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させる技術である。
【００９２】
ＤＣＩフォーマットは、端末に設定された送信モードに依存する。端末が自身に設定された送信モードによってモニタする参照（Ｒｅｆｅｒｅｎｃｅ）ＤＣＩフォーマットがある。次の通り、端末に設定される送信モードは１０個の送信モードを有することができる。
【００９３】
（１）送信モード１：単一アンテナポート；ポート０
【００９４】
（２）送信モード２：送信ダイバーシティ（Ｔｒａｎｓｍｉｔ  Ｄｉｖｅｒｓｉｔｙ）
【００９５】
（３）送信モード３：開ループ空間多重化（Ｏｐｅｎ−ｌｏｏｐ  Ｓｐａｔｉａｌ  Ｍｕｌｔｉｐｌｅｘｉｎｇ）
【００９６】
（４）送信モード４：閉ループ空間多重化（Ｃｌｏｓｅｄ−ｌｏｏｐ  Ｓｐａｔｉａｌ  Ｍｕｌｔｉｐｌｅｘｉｎｇ）
【００９７】
（５）送信モード５：多重ユーザＭＩＭＯ
【００９８】
（６）送信モード６：閉ループランク＝１プリコーディング
【００９９】
（７）送信モード７：コードブックに基づかない、単一レイヤ送信を支援するプリコーディング
【０１００】
（８）送信モード８：コードブックに基づかない、２個までのレイヤを支援するプリコーディング
【０１０１】
（９）送信モード９：コードブックに基づかない、８個までのレイヤを支援するプリコーディング
【０１０２】
（１０）送信モード１０：コードブックに基づかない、ＣｏＭＰのために用いられる、８個までのレイヤを支援するプリコーディング
【０１０３】
１．２．３  ＰＤＣＣＨ送信
【０１０４】
基地局は、端末に送信しようとするＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付加する。ＣＲＣにはＰＤＣＣＨの所有者（ｏｗｎｅｒ）や用途によって固有の識別子（例えば、ＲＮＴＩ（Ｒａｄｉｏ  Ｎｅｔｗｏｒｋ  Ｔｅｍｐｏｒａｒｙ  Ｉｄｅｎｔｉｆｉｅｒ））をマスクする。特定の端末のためのＰＤＣＣＨであれば、端末固有の識別子（例えば、Ｃ−ＲＮＴＩ（Ｃｅｌｌ−ＲＮＴＩ））をＣＲＣにマスクすることができる。又は、ページングメッセージのためのＰＤＣＣＨであれば、ページング指示識別子（例えば、Ｐ−ＲＮＴＩ（Ｐａｇｉｎｇ−ＲＮＴＩ））をＣＲＣにマスクすることができる。システム情報、より具体的にシステム情報ブロック（ｓｙｓｔｅｍ  ｉｎｆｏｒｍａｔｉｏｎ  ｂｌｏｃｋ、ＳＩＢ）のためのＰＤＣＣＨであれば、システム情報識別子（例えば、ＳＩ−ＲＮＴＩ（ｓｙｓｔｅｍ  ｉｎｆｏｒｍａｔｉｏｎ  ＲＮＴＩ））をＣＲＣにマスクすることができる。端末のランダムアクセスプリアンブルの送信に対する応答であるランダムアクセス応答を示すために、ＲＡ−ＲＮＴＩ（ｒａｎｄｏｍ  ａｃｃｅｓｓ−ＲＮＴＩ）をＣＲＣにマスクすることができる。
【０１０５】
続いて、基地局は、ＣＲＣの付加された制御情報にチャネルコーディングを行って符号化されたデータ（ｃｏｄｅｄ  ｄａｔａ）を生成する。このとき、ＭＣＳレベルによるコードレートでチャネルコーディングを行うことができる。基地局は、ＰＤＣＣＨフォーマットに割り当てられたＣＣＥ集合レベルによる送信率マッチング（ｒａｔｅ  ｍａｔｃｈｉｎｇ）を行い、符号化されたデータを変調して変調シンボルを生成する。この時、ＭＣＳレベルによる変調序列を用いることができる。１つのＰＤＣＣＨを構成する変調シンボルは、ＣＣＥ集合レベルが１、２、４、８のいずれか一つであってもよい。その後、基地局は、変調シンボルを物理的なリソース要素にマップ（ＣＣＥ  ｔｏ  ＲＥ  ｍａｐｐｉｎｇ）する。
【０１０６】
１．２．４  ブラインドデコーディング（ＢＳ：Ｂｌｉｎｄ  Ｄｅｃｏｄｉｎｇ）
【０１０７】
一つのサブフレーム内で複数のＰＤＣＣＨが送信されてもよい。すなわち、一つのサブフレームの制御領域は、インデックス０〜
0006637164.tif 000015
を有する複数のＣＣＥで構成される。ここで、
0006637164.tif 000016
は、ｋ番目のサブフレームの制御領域内における総ＣＣＥの個数を意味する。端末は、毎サブフレームごとに複数のＰＤＣＣＨをモニタする。ここで、モニタリングとは、端末がモニタされるＰＤＣＣＨフォーマットによってＰＤＣＣＨのそれぞれのデコーディングを試みることをいう。
【０１０８】
基地局は、端末にサブフレーム内に割り当てられた制御領域で該当のＰＤＣＣＨがどこに位置するのかに関する情報を提供しない。端末は基地局から送信された制御チャネルを受信するために自身のＰＤＣＣＨがどの位置でどのＣＣＥ集合レベルやＤＣＩフォーマットで送信されるのかを把握できず、端末は、サブフレーム内でＰＤＣＣＨ候補（ｃａｎｄｉｄａｔｅ）の集合をモニタして自身のＰＤＣＣＨを探す。これをブラインドデコーディング（ＢＤ）という。ブラインドデコーディングとは、端末がＣＲＣ部分に自身の端末識別子（ＵＥ  ＩＤ）をデマスク（Ｄｅ−Ｍａｓｋｉｎｇ）した後、ＣＲＣ誤りを検討し、当該ＰＤＣＣＨが自身の制御チャネルであるか否かを確認する方法をいう。
【０１０９】
活性モード（ａｃｔｉｖｅ  ｍｏｄｅ）で、端末は自身に送信されるデータを受信するために毎サブフレームのＰＤＣＣＨをモニタする。ＤＲＸモードで、端末は毎ＤＲＸ周期のモニタリング区間で起床（ウエークアップ：ｗａｋｅ  ｕｐ）し、モニタリング区間に該当するサブフレームでＰＤＣＣＨをモニタする。ＰＤＣＣＨのモニタリングが行われるサブフレームをｎｏｎ−ＤＲＸサブフレームという。
【０１１０】
端末は、自身に送信されるＰＤＣＣＨを受信するためには、ｎｏｎ−ＤＲＸサブフレームの制御領域に存在する全てのＣＣＥに対してブラインドデコーディングを行わなければならない。端末は、いずれのＰＤＣＣＨフォーマットが送信されるのかを把握できないことから、毎ｎｏｎ−ＤＲＸサブフレーム内でＰＤＣＣＨのブラインドデコーディングに成功するまで、可能なＣＣＥ集団レベルでＰＤＣＣＨを全てデコードしなければならない。端末は、自身のためのＰＤＣＣＨがいくつのＣＣＥを用いるのかを把握できず、ＰＤＣＣＨのブラインドデコーディングに成功するまで、可能な全てのＣＣＥ集団レベルで検出を試みなければならない。
【０１１１】
ＬＴＥシステムでは端末のブラインドデコーディングのためにサーチスペース（ＳＳ：Ｓｅａｒｃｈ  Ｓｐａｃｅ）概念を定義する。サーチスペースは、端末がモニタするためのＰＤＣＣＨ候補セットを意味し、各ＰＤＣＣＨフォーマットによって異なるサイズを有することができる。サーチスペースは、共用サーチスペース（ＣＳＳ：Ｃｏｍｍｏｎ  Ｓｅａｒｃｈ  Ｓｐａｃｅ）及び端末特定サーチスペース（ＵＳＳ：ＵＥ−ｓｐｅｃｉｆｉｃ／Ｄｅｄｉｃａｔｅｄ  Ｓｅａｒｃｈ  Ｓｐａｃｅ）を含むことができる。
【０１１２】
共用サーチスペースの場合、全ての端末が共用サーチスペースのサイズを認知できるが、端末特定サーチスペースは、端末ごとに個別に設定することができる。したがって、端末は、ＰＤＣＣＨをデコードするために、端末特定サーチスペース及び共用サーチスペースを全てモニタしなければならなく、したがって、１サブフレームで最大４４回のブラインドデコーディング（ＢＤ）を行うことになる。ここには、異なるＣＲＣ値（例えば、Ｃ−ＲＮＴＩ、Ｐ−ＲＮＴＩ、ＳＩ−ＲＮＴＩ、ＲＡ−ＲＮＴＩ）によって行うブラインドデコーディングは含まれない。
【０１１３】
サーチスペースの制約によって、基地局が、与えられたサブフレーム内でＰＤＣＣＨを送信しようとする端末の全てにＰＤＣＣＨを送信するためのＣＣＥリソースが確保されない場合が発生しうる。なぜなら、ＣＣＥ位置が割り当てられて残ったリソースは、特定端末のサーチスペース内に含まれないことがあるためである。次のサブフレームでも続き得るこのような障壁を最小化するために、端末特定跳躍（ｈｏｐｐｉｎｇ）シーケンスを端末特定サーチスペースの始点に適用することができる。
【０１１４】
表４は、共用サーチスペースと端末特定サーチスペースのサイズを示す。
【０１１５】
【表４】
0006637164.tif 000017
【０１１６】
ブラインドデコーディングを試みる回数による端末の負荷を軽減するために、端末は、定義された全てのＤＣＩフォーマットによるサーチを同時に行うわけではない。具体的に、端末は、端末特定サーチスペースで常にＤＣＩフォーマット０及び１Ａに対するサーチを行う。この時、ＤＣＩフォーマット０と１Ａは同じサイズを有するが、端末は、ＰＤＣＣＨに含まれたＤＣＩフォーマット０と１Ａを区別するために用いられるフラグ（ｆｌａｇ  ｆｏｒ  ｆｏｒｍａｔ  ０／ｆｏｒｍａｔ  １Ａ  ｄｉｆｆｅｒｅｎｔｉａｔｉｏｎ）を用いてＤＣＩフォーマットを区別することができる。また、端末にＤＣＩフォーマット０とＤＣＩフォーマット１Ａに加えて他のＤＣＩフォーマットが要求されてもよいが、その一例としてＤＣＩフォーマット１、１Ｂ、２がある。
【０１１７】
共用サーチスペースで、端末はＤＣＩフォーマット１Ａと１Ｃをサーチすることができる。また、端末はＤＣＩフォーマット３又は３Ａをサーチするように設定されてもよく、ＤＣＩフォーマット３と３Ａは、ＤＣＩフォーマット０と１Ａと同じサイズを有するが、端末は、端末特定識別子以外の識別子によってスクランブルされたＣＲＣを用いてＤＣＩフォーマットを区別することができる。
【０１１８】
サーチスペース
0006637164.tif 000018
は、集合レベル
0006637164.tif 000019
によるＰＤＣＣＨ候補セットを意味する。サーチスペースのＰＤＣＣＨ候補セット
0006637164.tif 000020
によるＣＣＥは、次式１によって決定することができる。
【０１１９】
【数１】
0006637164.tif 000021
【０１２０】
ここで、
0006637164.tif 000022
は、サーチスペースでモニタするためのＣＣＥ集合レベルＬによるＰＤＣＣＨ候補の個数を表し、
0006637164.tif 000023
である。
0006637164.tif 000024
は、ＰＤＣＣＨにおいて各ＰＤＣＣＨ候補で個別ＣＣＥを指定するインデックスであり、
0006637164.tif 000025
である。
0006637164.tif 000026
であり、
0006637164.tif 000027
は、無線フレーム内でのスロットインデックスを表す。
【０１２１】
上述したように、端末は、ＰＤＣＣＨをデコードするために端末特定サーチスペース及び共用サーチスペースの両方をモニタする。ここで、共用サーチスペース（ＣＳＳ）は、｛４，８｝の集合レベルを有するＰＤＣＣＨを支援し、端末特定サーチスペース（ＵＳＳ）は、｛１，２，４，８｝の集合レベルを有するＰＤＣＣＨを支援する。表５は、端末によってモニタされるＰＤＣＣＨ候補を表す。
【０１２２】
【表５】
0006637164.tif 000028
【０１２３】
式１を参照すると、共用サーチスペースの場合、２個の集合レベル、Ｌ＝４及びＬ＝８に対して
0006637164.tif 000029
は０に設定される。一方、端末特定サーチスペースの場合、集合レベルＬに対して
0006637164.tif 000030
は式２のように定義される。
【０１２４】
【数２】
0006637164.tif 000031
【０１２５】
ここで、
0006637164.tif 000032
であり、
0006637164.tif 000033
はＲＮＴＩ値を表す。
また、
0006637164.tif 000034
であり、
0006637164.tif 000035
である。
【０１２６】
１．３  キャリア併合（ＣＡ：Ｃａｒｒｉｅｒ  Ａｇｇｒｅｇａｔｉｏｎ）環境
【０１２７】
１．３.１  ＣＡ一般
【０１２８】
３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；Ｒｅｌ−８又はＲｅｌ−９）システム（以下、ＬＴＥシステム）は、単一コンポーネントキャリア（ＣＣ：Ｃｏｍｐｏｎｅｎｔ  Ｃａｒｒｉｅｒ）を複数の帯域に分割して使う多重搬送波変調（ＭＣＭ：Ｍｕｌｔｉ−Ｃａｒｒｉｅｒ  Ｍｏｄｕｌａｔｉｏｎ）方式を用いる。しかし、３ＧＰＰ  ＬＴＥ−Ａｄｖａｎｃｅｄシステム（以下、ＬＴＥ−Ａシステム）では、ＬＴＥシステムに比べて広帯域のシステム帯域幅を支援するために、一つ以上のコンポーネントキャリアを結合して使うキャリア併合（ＣＡ：Ｃａｒｒｉｅｒ  Ａｇｇｒｅｇａｔｉｏｎ）のような方法を用いることができる。キャリア併合は、搬送波集成、搬送波整合、マルチコンポーネントキャリア環境（Ｍｕｌｔｉ−ＣＣ）、又はマルチキャリア環境と呼ぶこともできる。
【０１２９】
本発明でマルチキャリアはキャリアの併合（又は、搬送波集成）を意味し、この場合、キャリアの併合は、隣接した（ｃｏｎｔｉｇｕｏｕｓ）キャリア間の併合だけでなく、非隣接した（ｎｏｎ−ｃｏｎｔｉｇｕｏｕｓ）キャリア間の併合も意味する。また、下りリンクと上りリンクにおいて集成されるコンポーネントキャリアの数を異なるように設定してもよい。下りリンクコンポーネントキャリア（以下、「ＤＬ  ＣＣ」という。）の数と上りリンクコンポーネントキャリア（以下、「ＵＬ  ＣＣ」という。）の数とが一致する場合を対称的（ｓｙｍｍｅｔｒｉｃ）併合といい、両者の数が異なる場合を非対称的（ａｓｙｍｍｅｔｒｉｃ）併合という。このようなキャリア併合は、搬送波集成、帯域幅集成（ｂａｎｄｗｉｄｔｈ  ａｇｇｒｅｇａｔｉｏｎ）、スペクトル集成（ｓｐｅｃｔｒｕｍ  ａｇｇｒｅｇａｔｉｏｎ）などのような用語に言い換えてもよい。
【０１３０】
２つ以上のコンポーネントキャリアが結合して構成されるキャリア併合は、ＬＴＥ−Ａシステムでは１００ＭＨｚ帯域幅まで支援することを目標とする。目標帯域よりも小さい帯域幅を有する１個以上のキャリアを結合するとき、結合するキャリアの帯域幅は、既存のＩＭＴシステムとの互換性（ｂａｃｋｗａｒｄ  ｃｏｍｐａｔｉｂｉｌｉｔｙ）維持のために、既存のシステムで使う帯域幅に制限することができる。
【０１３１】
例えば、既存の３ＧＰＰ  ＬＴＥシステムでは、｛１．４，３，５，１０，１５，２０｝ＭＨｚ帯域幅を支援し、３ＧＰＰ  ＬＴＥ−ａｄｖａｎｃｅｄシステム（すなわち、ＬＴＥ−Ａ）では、既存のシステムとの互換のために、それらの帯域幅のみを用いて２０ＭＨｚよりも大きい帯域幅を支援するようにすることができる。また、本発明で用いられるキャリア併合システムは、既存のシステムで用いる帯域幅にかかわらず、新しい帯域幅を定義してキャリア併合を支援するようにすることもできる。
【０１３２】
また、このようなキャリア併合は、イントラ−バンドＣＡ（Ｉｎｔｒａ−ｂａｎｄ  ＣＡ）とインター−バンドＣＡ（Ｉｎｔｅｒ−ｂａｎｄ  ＣＡ）とに区別できる。イントラ−バンドキャリア併合とは、複数のＤＬ  ＣＣ及び／又はＵＬ  ＣＣが周波数上で隣接するか近接して位置することを意味する。言い換えると、ＤＬ  ＣＣ及び／又はＵＬ  ＣＣのキャリア周波数が同じバンド内に位置することを意味できる。一方、周波数領域において遠く離れている環境をインター−バンドＣＡ（Ｉｎｔｅｒ−Ｂａｎｄ  ＣＡ）と呼ぶことができる。言い換えると、複数のＤＬ  ＣＣ及び／又はＵＬ  ＣＣのキャリア周波数が、互いに異なるバンドに位置することを意味できる。この場合、端末は、キャリア併合環境における通信を行うために、複数のＲＦ（ｒａｄｉｏ  ｆｒｅｑｕｅｎｃｙ）端を使うことができる。
【０１３３】
ＬＴＥ−Ａシステムは、無線リソースを管理するためにセル（ｃｅｌｌ）の概念を用いる。上述したキャリア併合環境は、多重セル（ｍｕｌｔｉｐｌｅ  ｃｅｌｌｓ）環境と呼ぶことができる。セルは、下りリンクリソース（ＤＬ  ＣＣ）及び上りリンクリソース（ＵＬ  ＣＣ）の組合せと定義されるか、上りリンクリソースは必須要素ではない。このため、セルは、下りリンクリソース単独、又は下りリンクリソース及び上りリンクリソースの両者で構成することができる。
【０１３４】
例えば、特定端末が、１個の設定されたサービングセル（ｃｏｎｆｉｇｕｒｅｄ  ｓｅｒｖｉｎｇ  ｃｅｌｌ）を有する場合、１個のＤＬ  ＣＣと１個のＵＬ  ＣＣを有することができる。しかし、特定端末が２個以上の設定されたサービングセルを有する場合には、セルの数だけのＤＬ  ＣＣを有し、ＵＬ  ＣＣの数はそれと同数又は小さい数であってもよい。又は、これと逆にＤＬ  ＣＣとＵＬ  ＣＣが構成されてもよい。すなわち、特定端末が複数の設定されたサービングセルを有する場合、ＤＬ  ＣＣの数よりもＵＬ  ＣＣが多いキャリア併合環境が支援されてもよい。
【０１３５】
また、キャリア結合（ＣＡ）は、それぞれのキャリア周波数（セルの中心周波数）が異なる２つ以上のセルの併合と理解されてもよい。キャリア結合でいう「セル（Ｃｅｌｌ）」は、周波数の観点で説明されるものであり、一般的に使われる、基地局のカバーする地理的領域としての「セル」とは区別されなければならない。以下、上述したイントラ−バンドキャリア併合をイントラ−バンド多重セルといい、インター−バンドキャリア併合をインター−バンド多重セルという。
【０１３６】
ＬＴＥ−Ａシステムで用いられるセルは、プライマリセル（ＰＣｅｌｌ：Ｐｒｉｍａｒｙ  Ｃｅｌｌ）及びセカンダリセル（ＳＣｅｌｌ：Ｓｅｃｏｎｄａｒｙ  Ｃｅｌｌ）を含む。ＰセルとＳセルはサービングセル（Ｓｅｒｖｉｎｇ  Ｃｅｌｌ）として用いることができる。ＲＲＣ＿ＣＯＮＮＥＣＴＥＤ状態にあるが、キャリア併合が設定されていないか又はキャリア併合を支援しない端末の場合、Ｐセルのみで構成されたサービングセルが１つのみ存在する。一方、ＲＲＣ＿ＣＯＮＮＥＣＴＥＤ状態であるとともに、キャリア併合が設定されている端末の場合、一つ以上のサービングセルが存在してもよく、全体のサービングセルにはＰセルと一つ以上のＳセルが含まれる。
【０１３７】
サービングセル（ＰセルとＳセル）は、ＲＲＣパラメータを用いて設定することができる。ＰｈｙｓＣｅｌｌＩｄは、セルの物理層識別子であって、０から５０３までの整数値を有する。ＳＣｅｌｌＩｎｄｅｘは、Ｓセルを識別するために使われる簡略な（ｓｈｏｒｔ）識別子であって、１から７までの整数値を有する。ＳｅｒｖＣｅｌｌＩｎｄｅｘは、サービングセル（Ｐセル又はＳセル）を識別するために使われる簡略な（ｓｈｏｒｔ）識別子であって、０から７までの整数値を有する。０値はＰセルに適用され、ＳＣｅｌｌＩｎｄｅｘはＳセルに適用するためにあらかじめ与えられる。すなわち、ＳｅｒｖＣｅｌｌＩｎｄｅｘにおいて最も小さいセルＩＤ（又はセルインデックス）を有するセルがＰセルとなる。
【０１３８】
Ｐセルはプライマリ周波数（又は、ｐｒｉｍａｒｙ  ＣＣ）上で動作するセルを意味する。端末が初期接続設定（ｉｎｉｔｉａｌ  ｃｏｎｎｅｃｔｉｏｎ  ｅｓｔａｂｌｉｓｈｍｅｎｔ）過程を行うか、接続再−設定過程を行うために用いられてもよく、ハンドオーバー過程で指示されたセルのことを指してもよい。また、Ｐセルは、キャリア併合環境で設定されたサービングセルのうち、制御関連通信の中心となるセルを意味する。すなわち、端末は、自身のＰセルでのみＰＵＣＣＨの割当てを受けて送信することができ、システム情報を取得するか、モニタリング手順を変更する時にＰセルのみを用いることができる。Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）は、キャリア併合環境を支援する端末に対して、移動性制御情報（ｍｏｂｉｌｉｔｙＣｏｎｔｒｏｌＩｎｆｏ）を含む上位層のＲＲＣ接続再設定（ＲＲＣＣｏｎｎｅｃｔｉｏｎＲｅｃｏｎｆｉｇｕｔａｉｏｎ）メッセージを用いてハンドオーバー手順のためにＰセルのみを変更することもできる。
【０１３９】
Ｓセルはセカンダリ周波数（又は、Ｓｅｃｏｎｄａｒｙ  ＣＣ）上で動作するセルを意味できる。特定端末にＰセルは一つのみ割り当てられ、Ｓセルは一つ以上割り当てられてもよい。Ｓセルは、ＲＲＣ接続設定がなされた後に構成可能であり、追加の無線リソースを提供するために用いることができる。キャリア併合環境で設定されたサービングセルにおいてＰセル以外のセル、すなわち、ＳセルにはＰＵＣＣＨが存在しない。
【０１４０】
Ｅ−ＵＴＲＡＮは、Ｓセルをキャリア併合環境を支援する端末に追加する時、ＲＲＣ＿ＣＯＮＮＥＣＴＥＤ状態にある関連したセルの動作に関する全てのシステム情報を特定シグナル（ｄｅｄｉｃａｔｅｄ  ｓｉｇｎａｌ）を用いて提供することができる。システム情報の変更は、関連したＳセルの解除及び追加によって制御することができ、このとき、上位層のＲＲＣ接続再設定（ＲＲＣＣｏｎｎｅｃｔｉｏｎＲｅｃｏｎｆｉｇｕｔａｉｏｎ）メッセージを用いることができる。Ｅ−ＵＴＲＡＮは、関連したＳセル内でブロードキャストするよりは、端末別に異なるパラメータを有する特定シグナリング（ｄｅｄｉｃａｔｅｄ  ｓｉｇｎａｌｉｎｇ）をすればよい。
【０１４１】
初期保安活性化過程が始まった後に、Ｅ−ＵＴＲＡＮは、接続設定過程で初期に構成されるＰセルに加えて一つ以上のＳセルを含むネットワークを構成することができる。キャリア併合環境でＰセル及びＳセルはそれぞれのコンポーネントキャリアとして動作することができる。以下の実施例では、プライマリコンポーネントキャリア（ＰＣＣ）はＰセルと同じ意味で使われ、セカンダリコンポーネントキャリア（ＳＣＣ）はＳセルと同じ意味で使われてもよい。
【０１４２】
図６は、本発明の実施例で用いられるコンポーネントキャリア（ＣＣ）、及びＬＴＥ＿Ａシステムで用いられるキャリア併合の一例を示す図である。
【０１４３】
図６（ａ）は、ＬＴＥシステムで用いられる単一キャリア構造を示す。コンポーネントキャリアにはＤＬ  ＣＣとＵＬ  ＣＣがある。一つのコンポーネントキャリアは２０ＭＨｚの周波数範囲を有することができる。
【０１４４】
図６（ｂ）は、ＬＴＥ＿Ａシステムで用いられるキャリア併合構造を示す。図６（ｂ）では、２０ＭＨｚの周波数サイズを有する３個のコンポーネントキャリアが結合された場合を示している。ＤＬ  ＣＣとＵＬ  ＣＣがそれぞれ３個ずつあるが、ＤＬ  ＣＣとＵＬ  ＣＣの個数に制限があるわけではない。キャリア併合の場合、端末は３個のＣＣを同時にモニタすることができ、下りリンク信号／データを受信することができ、上りリンク信号／データを送信することができる。
【０１４５】
仮に、特定セルでＮ個のＤＬ  ＣＣが管理される場合には、ネットワークは、端末にＭ（Ｍ≦Ｎ）個のＤＬ  ＣＣを割り当てることができる。この時、端末はＭ個の制限されたＤＬ  ＣＣのみをモニタしてＤＬ信号を受信することができる。また、ネットワークはＬ（Ｌ≦Ｍ≦Ｎ）個のＤＬ  ＣＣに優先順位を与えて主なＤＬ  ＣＣを端末に割り当てることもでき、この場合、ＵＥはＬ個のＤＬ  ＣＣは必ずモニタしなければならない。この方式は上りリンク送信に同一に適用されてもよい。
【０１４６】
下りリンクリソースの搬送波周波数（又はＤＬ  ＣＣ）と上りリンクリソースの搬送波周波数（又は、ＵＬ  ＣＣ）とのリンケージ（ｌｉｎｋａｇｅ）は、ＲＲＣメッセージのような上位層メッセージやシステム情報で示すことができる。例えば、ＳＩＢ２（Ｓｙｓｔｅｍ  Ｉｎｆｏｒｍａｔｉｏｎ  Ｂｌｏｃｋ  Ｔｙｐｅ２）によって定義されるリンケージによってＤＬリソースとＵＬリソースとの組合せを構成することができる。具体的に、リンケージは、ＵＬグラントを運ぶＰＤＣＣＨが送信されるＤＬ  ＣＣと該ＵＬグラントを用いるＵＬ  ＣＣとのマッピング関係を意味することができ、ＨＡＲＱのためのデータが送信されるＤＬ  ＣＣ（又はＵＬ  ＣＣ）とＨＡＲＱ  ＡＣＫ／ＮＡＣＫ信号が送信されるＵＬ  ＣＣ（又はＤＬ  ＣＣ）とのマッピング関係を意味することもできる。
【０１４７】
１．３.２  クロスキャリアスケジューリング（Ｃｒｏｓｓ  Ｃａｒｒｉｅｒ  Ｓｃｈｅｄｕｌｉｎｇ）
【０１４８】
キャリア併合システムには、キャリア（又は搬送波）又はサービングセル（Ｓｅｒｖｉｎｇ  Ｃｅｌｌ）に対するスケジューリング観点で、自己スケジューリング（Ｓｅｌｆ−Ｓｃｈｅｄｕｌｉｎｇ）方法及びクロスキャリアスケジューリング（Ｃｒｏｓｓ  Ｃａｒｒｉｅｒ  Ｓｃｈｅｄｕｌｉｎｇ）方法がある。クロスキャリアスケジューリングは、クロスコンポーネントキャリアスケジューリング（Ｃｒｏｓｓ  Ｃｏｍｐｏｎｅｎｔ  Ｃａｒｒｉｅｒ  Ｓｃｈｅｄｕｌｉｎｇ）又はクロスセルスケジューリング（Ｃｒｏｓｓ  Ｃｅｌｌ  Ｓｃｈｅｄｕｌｉｎｇ）と呼ぶこともできる。
【０１４９】
自己スケジューリングは、ＰＤＣＣＨ（ＤＬグラント）とＰＤＳＣＨが同一ＤＬ  ＣＣで送信されるか、又はＤＬ  ＣＣで送信されたＰＤＣＣＨ（ＵＬグラント）によって送信されるＰＵＳＣＨが、ＵＬグラントを受信したＤＬ  ＣＣとリンクされているＵＬ  ＣＣで送信されることを意味する。
【０１５０】
クロスキャリアスケジューリングは、ＰＤＣＣＨ（ＤＬグラント）とＰＤＳＣＨがそれぞれ異なるＤＬ  ＣＣで送信されるか、又はＤＬ  ＣＣで送信されたＰＤＣＣＨ（ＵＬグラント）によって送信されるＰＵＳＣＨが、ＵＬグラントを受信したＤＬ  ＣＣとリンクされているＵＬ  ＣＣ以外のＵＬ  ＣＣで送信されることを意味する。
【０１５１】
クロスキャリアスケジューリングは、端末特定（ＵＥ−ｓｐｅｃｉｆｉｃ）に活性化又は非活性化することができ、上位層シグナリング（例えば、ＲＲＣシグナリング）用いて半静的（ｓｅｍｉ−ｓｔａｔｉｃ）に各端末に対して知らせることができる。
【０１５２】
クロスキャリアスケジューリングが活性化された場合、ＰＤＣＣＨには、該ＰＤＣＣＨが示すＰＤＳＣＨ／ＰＵＳＣＨがどのＤＬ／ＵＬ  ＣＣで送信されるのかを知らせるキャリア指示子フィールド（ＣＩＦ：Ｃａｒｒｉｅｒ  Ｉｎｄｉｃａｔｏｒ  Ｆｉｅｌｄ）が必要である。例えば、ＰＤＣＣＨは、ＰＤＳＣＨリソース又はＰＵＳＣＨリソースをＣＩＦを用いて複数のコンポーネントキャリアのうちの一つに割り当てることができる。すなわち、ＤＬ  ＣＣ上のＰＤＣＣＨが多重集成されたＤＬ／ＵＬ  ＣＣのうちの一つにＰＤＳＣＨ又はＰＵＳＣＨリソースを割り当てる場合にＣＩＦが設定される。この場合、ＬＴＥ  Ｒｅｌｅａｓｅ−８のＤＣＩフォーマットはＣＩＦによって拡張されてもよい。このとき、設定されたＣＩＦは、３ビットフィールドに固定されてもよく、設定されたＣＩＦの位置はＤＣＩフォーマットサイズに関係なく固定されてもよい。また、ＬＴＥ  Ｒｅｌｅａｓｅ−８のＰＤＣＣＨ構造（同一のコーディング及び同一のＣＣＥベースのリソースマッピング）を再使用してもよい。
【０１５３】
一方、ＤＬ  ＣＣ上のＰＤＣＣＨが同ＤＬ  ＣＣ上のＰＤＳＣＨリソースを割り当てるか、単一リンクされたＵＬ  ＣＣ上のＰＵＳＣＨリソースを割り当てる場合には、ＣＩＦが設定されない。この場合、ＬＴＥ  Ｒｅｌｅａｓｅ−８と同じＰＤＣＣＨ構造（同一のコーディング及び同一のＣＣＥベースのリソースマッピング）とＤＣＩフォーマットが用いられてもよい。
【０１５４】
クロスキャリアスケジューリングが可能な場合、端末はＣＣ別送信モード及び／又は帯域幅によってモニタリングＣＣの制御領域で複数のＤＣＩに対するＰＤＣＣＨをモニタする必要がある。このため、これを支援できる検索空間の構成とＰＤＣＣＨモニタリングが必要である。
【０１５５】
キャリア併合システムにおいて、端末ＤＬ  ＣＣ集合は、端末がＰＤＳＣＨを受信するようにスケジュールされたＤＬ  ＣＣの集合を指し、端末ＵＬ  ＣＣ集合は、端末がＰＵＳＣＨを送信するようにスケジュールされたＵＬ  ＣＣの集合を指す。また、ＰＤＣＣＨモニタリング集合（ｍｏｎｉｔｏｒｉｎｇ  ｓｅｔ）は、ＰＤＣＣＨモニタリングを行う少なくとも一つのＤＬ  ＣＣの集合を意味する。ＰＤＣＣＨモニタリング集合は、端末ＤＬ  ＣＣ集合と同一であってもよく、端末ＤＬ  ＣＣ集合の副集合（ｓｕｂｓｅｔ）であってもよい。ＰＤＣＣＨモニタリング集合は、端末ＤＬ  ＣＣ集合におけるＤＬ  ＣＣの少なくとも一つを含むことができる。又は、ＰＤＣＣＨモニタリング集合は、端末ＤＬ  ＣＣ集合とは別個に定義されてもよい。ＰＤＣＣＨモニタリング集合に含まれるＤＬ  ＣＣは、リンクされたＵＬ  ＣＣに対する自己スケジューリング（ｓｅｌｆ−ｓｃｈｅｄｕｌｉｎｇ）は常に可能なように設定することができる。このような、端末ＤＬ  ＣＣ集合、端末ＵＬ  ＣＣ集合及びＰＤＣＣＨモニタリング集合は、端末特定（ＵＥ−ｓｐｅｃｉｆｉｃ）、端末グループ特定（ＵＥ  ｇｒｏｕｐ−ｓｐｅｃｉｆｉｃ）又はセル特定（Ｃｅｌｌ−ｓｐｅｃｉｆｉｃ）に設定することができる。
【０１５６】
クロスキャリアスケジューリングが非活性化された場合には、ＰＤＣＣＨモニタリング集合が常に端末ＤＬ  ＣＣ集合と同一であるということを意味し、このような場合にはＰＤＣＣＨモニタリング集合に対する別のシグナリングのような指示が必要でない。しかし、クロスキャリアスケジューリングが活性化された場合には、ＰＤＣＣＨモニタリング集合が端末ＤＬ  ＣＣ集合内で定義されることが好ましい。すなわち、端末に対してＰＤＳＣＨ又はＰＵＳＣＨをスケジュールするために、基地局はＰＤＣＣＨモニタリング集合のみを介してＰＤＣＣＨを送信する。
【０１５７】
図７は、本発明の実施例で用いられるクロスキャリアスケジューリングによるＬＴＥ−Ａシステムのサブフレーム構造を示す図である。
【０１５８】
図７を参照すると、ＬＴＥ−Ａ端末のためのＤＬサブフレームは、３個の下りリンクコンポーネントキャリア（ＤＬ  ＣＣ）が結合されており、ＤＬ  ＣＣ  「Ａ」はＰＤＣＣＨモニタリングＤＬ  ＣＣとして設定された場合を示す。ＣＩＦが使用されない場合、各ＤＬ  ＣＣはＣＩＦ無しで自身のＰＤＳＣＨをスケジュールするＰＤＣＣＨを送信することができる。一方、ＣＩＦが上位層シグナリングによって使用される場合には、一つのＤＬ  ＣＣ  「Ａ」のみがＣＩＦを用いて自身のＰＤＳＣＨ又は他のＣＣのＰＤＳＣＨをスケジュールするＰＤＣＣＨを送信することができる。この時、ＰＤＣＣＨモニタリングＤＬ  ＣＣとして設定されていないＤＬ  ＣＣ  「Ｂ」及び「Ｃ」はＰＤＣＣＨを送信しない。
【０１５９】
１．３.３  ＣＡ環境に基づくＣｏＭＰ動作
【０１６０】
以下では本発明の実施形態に適用可能な協力的多重ポイント（ＣｏＭＰ：Ｃｏｏｐｅｒａｔｉｖｅ  Ｍｕｌｔｉ−Ｐｏｉｎｔ）伝送動作について説明する。
【０１６１】
ＬＴＥ−ＡシステムにおいてＬＴＥでのＣＡ（ｃａｒｒｉｅｒ  ａｇｇｒｅｇａｔｉｏｎ）機能を用いてＣｏＭＰ伝送を具現することができる。図９はＣＡ環境で動作するＣｏＭＰシステムの概念図である。
【０１６２】
図8で、Ｐセルとして動作するキャリアとＳセルとして動作するキャリアは周波数軸に同じ周波数帯域を使うことができ、地理的に離れた二つのｅＮＢにそれぞれ割り当てられた場合を仮定する。この際、ＵＥ１のサービングｅＮＢをＰセルとして割り当て、多くの干渉を与える隣接セルをＳセルとして割り当てることができる。すなわち、一つの端末に対してＰセルの基地局とＳセルの基地局が互いにＪＴ（Ｊｏｉｎｔ  Ｔｒａｎｓｍｉｓｓｉｏｎ）、ＣＳ／ＣＢ及び動的セル選択（Ｄｙｎａｍｉｃ  ｃｅｌｌ  ｓｅｌｅｃｔｉｏｎ）などの多様なＤＬ／ＵＬ  ＣｏＭＰ動作を遂行することができる。
【０１６３】
図8は一つの端末（例えば、ＵＥ１）に対して二つのｅＮＢが管理するセルをそれぞれＰセルとＳセルとして結合する場合に対する例示を示す。ただ、他の例として３個以上のセルが結合することができる。例えば、三つ以上のセルの一部セルは同じ一周波数帯域で一つの端末に対してＣｏＭＰ動作を遂行し、他のセルは他の周波数帯域で単純ＣＡ動作を遂行するように構成されることも可能である。この際、Ｐセルは必ずしもＣｏＭＰ動作に参加する必要はない。
【０１６４】
１．４  システム情報ブロック（ＳＩＢ）
【０１６５】
システム情報ブロック（ＳＩＢ：Ｓｙｓｔｅｍ  Ｉｎｆｏｒｍａｔｉｏｎ  Ｂｌｏｃｋ）は基地局のシステム情報を送信するために用いられる。すなわち、端末は基地局から送信される個別のＳＩＢを受信することによってシステム情報を取得することができる。ＳＩＢは、論理層ではＤＬ−ＳＣＨ上で送信され、物理層ではＰＤＳＣＨを介して送信される。この時、ＳＩＢが存在するか否かは、ＳＩ−ＲＮＴＩ（Ｓｙｓｔｅｍ  Ｉｎｆｏｒｍａｔｉｏｎ  Ｒａｄｉｏ  Ｎｅｔｗｏｒｋ  Ｔｅｍｐｏｒａｒｙ  Ｉｄｅｎｔｉｔｙ）でマスクされたＰＤＣＣＨ信号から確認される。
【０１６６】
ＳＩＢのうち、システム情報ブロックタイプ１（ＳＩＢ１）は、当該セルがセル選択に適するセルであるか否かを決定するために必要なパラメータ、及び他のＳＩＢに対する時間軸上スケジューリングに関する情報を含む。システム情報ブロックタイプ２（ＳＩＢ２）は、共用チャネル（Ｃｏｍｍｏｎ  Ｃｈａｎｎｅｌ）情報及び共有チャネル（Ｓｈａｒｅｄ  Ｃｈａｎｎｅｌ）情報を含む。ＳＩＢ３〜ＳＩＢ８は、セル再選択関連情報、セル外周波数（Ｉｎｔｅｒ−Ｆｒｅｑｕｅｎｃｙ）、セル内周波数（Ｉｎｔｒａ−Ｆｒｅｑｕｅｎｃｙ）などの情報を含む。ＳＩＢ９はホーム基地局（ＨｅＮＢ：Ｈｏｍｅ  ｅＮｏｄｅＢ）の名を伝達するために用いられ、ＳＩＢ１０〜ＳＩＢ１２は、地震、津波警告サービス（ＥＴＷＳ：Ｅａｒｔｈｑｕａｋｅ  ａｎｄ  Ｔｓｕｎａｍｉ  Ｗａｒｎｉｎｇ  Ｓｅｒｖｉｃｅ）通知及び災難警告システム（ＣＭＡＳ：Ｃｏｍｍｅｒｃｉａｌ  Ｍｏｂｉｌｅ  Ａｌｅｒｔ  Ｓｙｓｔｅｍ）警告メッセージを含む。ＳＩＢ１３はＭＢＭＳ関連制御情報を含む。
【０１６７】
この時、ＳＩＢ１は、セル接続関連パラメータと他のＳＩＢに対するスケジューリング情報を含む。ＳＩＢ１は８０ｍｓ周期で送信され、端末は遊休モード／連結モードにおいてＳＩＢ１を受信できなければならない。ＳＩＢ１は、ＳＦＮ  ｍｏｄ  ８＝０になる無線フレームのサブフレーム５で送信が開始され、ＳＦＮ  ｍｏｄ  ２＝０を満たす無線フレームのサブフレーム５で送信される。ＳＩＢ１は次のような情報を含んで送信される。
【０１６８】
【表６】
0006637164.tif 000036
【０１６９】
表６に表されたＳＩＢ１に含まれたパラメータに関する説明は、３ＧＰＰ  ＴＳ  ３６．３３１規格文書の５．２．２．７節及び６．２．２節に開示された説明を参照することができる。
【０１７０】
ＳＩメッセージは、動的スケジューリングによって周期的に発生する時間領域区間（すなわち、ＳＩウィンドウ）内で送信することができる。各ＳＩメッセージは特定ＳＩウィンドウと関連しており、特定ＳＩウィンドウは他のＳＩメッセージと重ならない。ＳＩウィンドウの長さは、全ＳＩメッセージに対して共通に構成することができる。
【０１７１】
ＳＩウィンドウ内で、相応するＳＩメッセージは、ＭＢＳＦＮサブフレーム、ＴＤＤでは上りリンクサブフレーム及びＳＦＮ  ｍｏｄ  ２＝０の無線フレームのサブフレーム５を除く全てのサブフレームで数回送信される。ＵＥはＳＩメッセージで具体的な時間領域スケジューリング情報を取得することができる。
【０１７２】
ＳＩ−ＲＮＴＩでマスクされたＰＤＣＣＨのＤＣＩフォーマット１ＣでスケジューリングされたＰＤＳＣＨに対するリダンダンシーバージョン（ＲＶ：Ｒｅｄｕｎｄａｎｃｙ  Ｖｅｒｓｉｏｎ）は、次式３のように決定される。
【０１７３】
【数３】
0006637164.tif 000037
【０１７４】
式３で、ｋはＳＩメッセージのタイプによって決定される。例えば、ＳＩＢ１メッセージに対してｋ＝（ＳＦＮ／２）ｍｏｄｕｌｏ  ４のように設定される。この時、ＳＦＮはシステムフレーム番号を意味し、各システム情報に対してｋ＝ｉ  ｍｏｄｕｌｏ  ４、ｉ＝０，１，．．．，ｎｓｗ−１に設定され、ｉはＳＩウィンドウｎｓｗ内のサブフレーム番号を意味する。
【０１７５】
１．５  ページングメッセージ送信方法
【０１７６】
ページングメッセージは、ページング情報、ＳＩメッセージ更新情報及びＰＷＳメッセージなどの情報を送信するために用いられる。セルごとにページングメッセージ送信のための基本ページングサイクル（ｄｅｆａｕｌｔ  ｐａｇｉｎｇ  ｃｙｃｌｅ）を設定し、端末ごとに専用ページングサイクルを設定することができる。端末に２つ以上のページングサイクルが設定された場合、最小値に該当するページングサイクルが当該端末に対するページングサイクルとなる。
【０１７７】
ページングメッセージ送信が可能なページングサブフレームは、次式４のように計算することができる。
【０１７８】
【数４】
0006637164.tif 000038
【０１７９】
本発明の実施例において、ｉ＿ｓはページングサブフレームを定義する予め定義されたテーブルを示すインデックスであり、ｉ＿ｓ＝ｆｌｏｏｒ（ＵＥ＿ＩＤ／Ｎ）  ｍｏｄ  Ｎｓに設定される。式４で、Ｔ値は端末のＵＥ  ＤＲＸサイクルであり、Ｔ＝ｍｉｎ（Ｔｃ，ＴＵＥ）と決定することができる。このとき、Ｔｃは、セル特定基本ページングサイクルを示す値であり、｛３２，６４，１２８，２５６｝無線フレーム（ＲＦ）に設定することができ、ＴＵＥは、ＵＥ特定ページングサイクルであり、｛３２，６４，１２８，２５６｝ＲＦに設定することができる。また、Ｎ値は、１つのページングサイクル内のページングフレームの個数を表し、Ｎ＝ｍｉｎ（Ｔ，ｎＢ）に設定することができる。このとき、ｎＢは、ページングサイクル｛４Ｔ，２Ｔ，Ｔ，Ｔ／２，Ｔ／４，Ｔ／８，Ｔ／１６，Ｔ／３２｝当たりのページングサブフレームの個数を表す。また、Ｎｓは、ページングのために用いられるＲＦ内のページングサブフレームの個数であり、Ｎｓ＝ｍａｘ（１，ｎＢ／Ｔ）に設定される。
【０１８０】
次の表７及び表８は、それぞれ、ＦＤＤ及びＴＤＤの場合にページングサブフレームのパターンを示している。
【０１８１】
【表７】
0006637164.tif 000039
【０１８２】
【表８】
0006637164.tif 000040
【０１８３】
次の表９は、式４及びページング関連パラメータ値によってページングサブフレームの一例を示したものである。
【０１８４】
【表９】
0006637164.tif 000041
【０１８５】
１．６  参照信号（ＲＳ：Ｒｅｆｅｒｅｎｃｅ  Ｓｉｇｎａｌ）
【０１８６】
以下では、本発明の実施例において使用可能な参照信号について説明する。
【０１８７】
図９は、本発明の実施例において使用可能なセル特定参照信号（ＣＲＳ：Ｃｅｌｌ  ｓｐｅｃｉｆｉｃ  Ｒｅｆｅｒｅｎｃｅ  Ｓｉｇｎａｌ）が割り当てられたサブフレームの一例を示す図である。
【０１８８】
図９には、システムで４個のアンテナを支援する場合にＣＲＳの割り当て構造を示す。３ＧＰＰ  ＬＴＥ／ＬＴＥ−ＡシステムにおいてＣＲＳはデコーディング及びチャネル状態測定を目的に用いられる。したがって、ＣＲＳは、ＰＤＳＣＨ送信を支援するセル（ｃｅｌｌ）内の全下りリンクサブフレームで全下りリンク帯域幅にわたって送信され、基地局（ｅＮＢ）に構成された全アンテナポートで送信される。
【０１８９】
具体的に、ＣＲＳシーケンスはスロットｎｓでアンテナポートｐのための参照シンボルとして用いられる複素変調シンボル（ｃｏｍｐｌｅｘ−ｖａｌｕｅｄ  ｍｏｄｕｌａｔｉｏｎ  ｓｙｍｂｏｌｓ）にマップされる。
【０１９０】
ＵＥはＣＲＳを用いてＣＳＩを測定することができ、ＣＲＳを用いて、ＣＲＳを含むサブフレームにおいてＰＤＳＣＨで受信された下りリンクデータ信号をデコードすることができる。すなわち、ｅＮＢは、全ＲＢにおいて各ＲＢ内の一定の位置でＣＲＳを送信し、ＵＥは上記ＣＲＳに基づいてチャネル推定を行った後にＰＤＳＣＨを検出する。例えば、ＵＥは、ＣＲＳ  ＲＥで受信した信号を測定する。ＵＥはＣＲＳ  ＲＥ別受信エネルギーとＰＤＳＣＨがマップされたＲＥ別受信エネルギーとの比を用いて、ＰＤＳＣＨがマップされたＲＥからＰＤＳＣＨ信号を検出することができる。
【０１９１】
このように、ＣＲＳに基づいてＰＤＳＣＨ信号が送信される場合に、ｅＮＢは全ＲＢに対してＣＲＳを送信しなければならず、不要なＲＳオーバーヘッドが発生する。このような問題点を解決するために、３ＧＰＰ  ＬＴＥ−Ａシステムでは、ＣＲＳの他に、ＵＥ−特定ＲＳ（以下、ＵＥ−ＲＳ）及びチャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）をさらに定義する。ＵＥ−ＲＳは復調のために用いられ、ＣＳＩ−ＲＳはチャネル状態情報を取得する（ｄｅｒｉｖｅ）ために用いられる。
【０１９２】
ＵＥ−ＲＳ及びＣＲＳは復調のために用いられるので、用途の側面では復調用ＲＳということができる。すなわち、ＵＥ−ＲＳはＤＭ−ＲＳ（ＤｅＭｏｄｕｌａｔｉｏｎ  Ｒｅｆｅｒｅｎｃｅ  Ｓｉｇｎａｌ）の一種と見なすことができる。また、ＣＳＩ−ＲＳ及びＣＲＳはチャネル測定或いはチャネル推定に用いられるので、用途の側面ではチャネル状態測定用ＲＳということができる。
【０１９３】
図１０は、本発明の実施例において使用可能なＣＳＩ−ＲＳがアンテナポートの個数によって割り当てられたサブフレームの一例を示す図である。
【０１９４】
ＣＳＩ−ＲＳは、復調の目的ではなく無線チャネルの状態測定のために３ＧＰＰ  ＬＴＥ−Ａシステムにおいて導入された下りリンク参照信号である。３ＧＰＰ  ＬＴＥ−Ａシステムは、ＣＳＩ−ＲＳ送信のために複数のＣＳＩ−ＲＳ設定を定義している。ＣＳＩ−ＲＳ送信が構成されたサブフレームにおいてＣＳＩ−ＲＳシーケンスはアンテナポートｐ上の参照シンボルとして用いられる複素変調シンボルによってマップされる。
【０１９５】
図１０（ａ）は、ＣＳＩ−ＲＳ構成のうち、２個のＣＳＩ−ＲＳポートによるＣＳＩ−ＲＳ送信に利用可能な２０個のＣＳＩ−ＲＳ構成０〜１９を示しており、図１０（ｂ）は、ＣＳＩ−ＲＳ構成のうち、４個のＣＳＩ−ＲＳポートによって利用可能な１０個のＣＳＩ−ＲＳ構成０〜９を示しており、図１０（ｃ）は、ＣＳＩ−ＲＳ構成のうち、８個のＣＳＩ−ＲＳポートによって利用可能な５個のＣＳＩ−ＲＳ構成０〜４を示している。
【０１９６】
ここで、ＣＳＩ−ＲＳポートはＣＳＩ−ＲＳ送信のために設定されたアンテナポートを意味する。ＣＳＩ−ＲＳポートの個数によってＣＳＩ−ＲＳ構成が変わるので、ＣＳＩ−ＲＳ構成番号が同一であっても、ＣＳＩ−ＲＳ送信のために構成されたアンテナポートの個数が異なると、異なるＣＳＩ−ＲＳ構成となる。
【０１９７】
一方、ＣＳＩ−ＲＳは、サブフレームごとに送信されるように構成されたＣＲＳとは違い、複数のサブフレームに該当する所定の送信周期ごとに送信されるように設定される。したがって、ＣＳＩ−ＲＳ構成は、リソースブロック対内においてＣＳＩ−ＲＳが占有するＲＥの位置だけでなく、ＣＳＩ−ＲＳが設定されるサブフレームによっても変わる。
【０１９８】
また、ＣＳＩ−ＲＳ構成番号が同一であるとしても、ＣＳＩ−ＲＳ送信のためのサブフレームが異なると、ＣＳＩ−ＲＳ構成も異なるといえる。例えば、ＣＳＩ−ＲＳ送信周期（ＴＣＳＩ−ＲＳ）が異なるか、又は１つの無線フレーム内でＣＳＩ−ＲＳ送信が構成された開始サブフレーム（ΔＣＳＩ−ＲＳ）が異なると、ＣＳＩ−ＲＳ構成が異なるといえる。
【０１９９】
以下では、（１）ＣＳＩ−ＲＳ構成番号が与えられたＣＳＩ−ＲＳ構成と、（２）ＣＳＩ−ＲＳ構成番号、ＣＳＩ−ＲＳポートの個数及び／又はＣＳＩ−ＲＳが構成されたサブフレームによって変わるＣＳＩ−ＲＳ構成とを区別するために、後者（２）の構成をＣＳＩ−ＲＳリソース構成（ＣＳＩ−ＲＳ  ｒｅｓｏｕｒｃｅ  ｃｏｎｆｉｇｕｒａｔｉｏｎ）と称する。前者（１）の構成は、ＣＳＩ−ＲＳ構成又はＣＳＩ−ＲＳパターンと称する。
【０２００】
ｅＮＢはＵＥにＣＳＩ−ＲＳリソース構成を知らせる際、ＣＳＩ−ＲＳの送信のために用いられるアンテナポートの個数、ＣＳＩ−ＲＳパターン、ＣＳＩ−ＲＳサブフレーム構成（ＣＳＩ−ＲＳ  ｓｕｂｆｒａｍｅ  ｃｏｎｆｉｇｕｒａｔｉｏｎ）ＩＣＳＩ−ＲＳ、ＣＳＩフィードバックのための参照ＰＤＳＣＨ送信電力に関するＵＥ仮定（ＵＥ  ａｓｓｕｍｐｔｉｏｎ  ｏｎ  ｒｅｆｅｒｅｎｃｅ  ＰＤＳＣＨ  ｔｒａｎｓｍｉｔｔｅｄ  ｐｏｗｅｒ  ｆｏｒ  ＣＳＩ  ｆｅｅｄｂａｃｋ）Ｐｃ、ゼロパワーＣＳＩ−ＲＳ構成リスト、ゼロパワーＣＳＩ−ＲＳサブフレーム構成などに関する情報を知らせることができる。
【０２０１】
ＣＳＩ−ＲＳサブフレーム構成インデックスＩＣＳＩ−ＲＳは、ＣＳＩ−ＲＳの存在（ｏｃｃｕｒｒｅｎｃｅ）に対するサブフレーム構成周期ＴＣＳＩ−ＲＳ及びサブフレームオフセットΔＣＳＩ−ＲＳを特定するための情報である。次表１０は、ＴＣＳＩ−ＲＳ及びΔＣＳＩ−ＲＳによるＣＳＩ−ＲＳサブフレーム構成インデックスＩＣＳＩ−ＲＳを例示したものである。
【０２０２】
【表１０】
0006637164.tif 000042
【０２０３】
このとき、次式５を満たすサブフレームが、ＣＳＩ−ＲＳを含むサブフレームとなる。
【０２０４】
【数５】
0006637164.tif 000043
【０２０５】
３ＧＰＰ  ＬＴＥ−Ａシステム以降に定義された送信モード（例えば、送信モード９或いはその他新しく定義される送信モード）と設定されたＵＥは、ＣＳＩ−ＲＳを用いてチャネル測定を行い、ＵＥ−ＲＳを用いてＰＤＳＣＨを復号することができる。
【０２０６】
３ＧＰＰ  ＬＴＥ−Ａシステム以降に定義された送信モード（例えば、送信モード９或いはその他新しく定義される送信モード）と設定されたＵＥは、ＣＳＩ−ＲＳを用いてチャネル測定を行い、ＵＥ−ＲＳを用いてＰＤＳＣＨを復号することができる。
【０２０７】
１．７  Ｅｎｈａｎｃｅｄ  ＰＤＣＣＨ（ＥＰＤＣＣＨ）
【０２０８】
３ＧＰＰ  ＬＴＥ／ＬＴＥ−Ａシステムにおいて複数のコンポーネントキャリア（ＣＣ：Ｃｏｍｐｏｎｅｎｔ  Ｃａｒｒｉｅｒ＝（ｓｅｒｖｉｎｇ）ｃｅｌｌ）に対する結合状況におけるクロスキャリアスケジューリング（ＣＣＳ：Ｃｒｏｓｓ  Ｃａｒｒｉｅｒ  Ｓｃｈｅｄｕｌｉｎｇ）動作を定義すると、一つのスケジュールされるＣＣ（すなわち、ｓｃｈｅｄｕｌｅｄ  ＣＣ）が他の一つのスケジューリングＣＣ（すなわち、ｓｃｈｅｄｕｌｉｎｇ  ＣＣ）のみからＤＬ／ＵＬスケジューリングを受け得るように（すなわち、当該ｓｃｈｅｄｕｌｅｄ  ＣＣに対するＤＬ／ＵＬ  ｇｒａｎｔ  ＰＤＣＣＨを受信できるように）あらかじめ設定することができる。このとき、スケジューリングＣＣは基本的に自身に対するＤＬ／ＵＬスケジューリングを行うことができる。言い換えると、上記ＣＣＳ関係にあるスケジューリング／スケジュールされるＣＣをスケジュールするＰＤＣＣＨに対するサーチスペース（ＳＳ：Ｓｅａｒｃｈ  Ｓｐａｃｅ）は全てのスケジューリングＣＣの制御チャネル領域に存在し得る。
【０２０９】
一方、ＬＴＥシステムにおいてＦＤＤ  ＤＬキャリア又はＴＤＤ  ＤＬサブフレームは各サブフレームの先頭におけるｎ個（ｎ＜＝４）のＯＦＤＭシンボルを、各種の制御情報送信のための物理チャネルであるＰＤＣＣＨ、ＰＨＩＣＨ及びＰＣＦＩＣＨなどの送信に使用し、残りのＯＦＤＭシンボルをＰＤＳＣＨ送信に使用するように構成される。このとき、各サブフレームにおいて制御チャネル送信に使用するＯＦＤＭシンボルの個数は、ＰＣＦＩＣＨなどの物理チャネルを介して動的に又はＲＲＣシグナリングを用いた半静的な方式で端末に伝達することができる。
【０２１０】
一方、ＬＴＥ／ＬＴＥ−ＡシステムではＤＬ／ＵＬスケジューリング及び各種の制御情報を送信するための物理チャネルであるＰＤＣＣＨは、制限されたＯＦＤＭシンボルで送信されるなどの限界があるので、ＰＤＳＣＨと分離されたＯＦＤＭシンボルで送信されるＰＤＣＣＨのような制御チャネルの代わりに、ＦＤＭ／ＴＤＭ方式でＰＤＳＣＨとより自由に多重化される拡張されたＰＤＣＣＨ（すなわち、Ｅ−ＰＤＣＣＨ）を導入することができる。図１１は、ＬＴＥ／ＬＴＥ−Ａシステムにおいて用いられるレガシーＰＤＣＣＨ（Ｌｅｇａｃｙ  ＰＤＣＣＨ）、ＰＤＳＣＨ及びＥ−ＰＤＣＣＨが多重化される一例を示す図である。
【０２１１】
１．８  同期信号
【０２１２】
同期信号（ＳＳ：Ｓｙｎｃｈｒｏｎｉｚａｔｉｏｎ  Ｓｉｇｎａｌ）はプライマリ同期信号（ＰＳＳ：Ｐｒｉｍａｒｙ  Ｓｙｎｃｈｒｏｎｉｚａｔｉｏｎ  Ｓｉｇｎａｌ）及びセカンダリ同期信号（ＳＳＳ：Ｓｅｃｏｎｄａｒｙ  Ｓｙｎｃｈｒｏｎｉｚａｔｉｏｎ  Ｓｉｇｎａｌ）で構成される。また、同期信号は、端末と基地局間の同期取得及びセル探索を行う時に用いられる信号である。
【０２１３】
図１２は、同期信号が送信される位置を示すフレーム構造の一例を示す図である。特に、図１２（ａ）及び図１２（ｂ）は、それぞれ、基本ＣＰ（Ｃｙｃｌｉｃ  Ｐｒｅｆｉｘ）及び拡張ＣＰを用いるシステムにおいてＳＳの送信のためのフレーム構造を示している。
【０２１４】
同期信号は、異機種網間測定（ｉｎｔｅｒ−ＲＡＴ（Ｒａｄｉｏ  Ａｃｃｅｓｓ  Ｔｅｃｈｎｏｌｏｇｙ）  ｍｅａｓｕｒｅｍｅｎｔ）を容易にするために、ＧＳＭフレーム長である４．６ｍｓを考慮して、 サブフレーム０番と、サブフレーム５番の二番目のスロットでそれぞれ送信される。このとき、当該無線フレームに対する境界はＳＳＳを用いて検出可能である。
【０２１５】
図１２（ａ）及び（ｂ）を参照すると、ＰＳＳは０番及び５番サブフレームの末尾のＯＦＤＭシンボルで送信され、ＳＳＳはＰＳＳ直前のＯＦＤＭシンボルで送信される。ＳＳは３個のＰＳＳと１６８個のＳＳＳとの組合せによって合計５０４個の物理層セル識別子（ｐｈｙｓｉｃａｌ  ｃｅｌｌ  ＩＤ）を送信することができる。また、ＳＳ及びＰＢＣＨはシステム帯域幅内における中央の６ＲＢ内で送信されるので、端末は送信帯域幅サイズに関係なく常にＳＳ及びＰＢＣＨ信号を検出或いは復号することができる。
【０２１６】
ＳＳの送信ダイバーシチ方式は単一アンテナポート（ｓｉｎｇｌｅ  ａｎｔｅｎｎａ  ｐｏｒｔ）だけを使用する。すなわち、単一アンテナ送信或いはＵＥに透明な（ｔｒａｎｓｐａｒｅｎｔ）送信方式（例えば、ＰＶＳ、ＴＳＴＤ、ＣＤＤ）を用いることができる。
【０２１７】
１．８．１  プライマリ同期信号（ＰＳＳ）
【０２１８】
長さ６３のザドフチュー（ＺＣ：Ｚａｄｏｆｆ−Ｃｈｕ）シーケンスを周波数領域で定義してＰＳＳのシーケンスとして用いる。ＺＣシーケンスは次式６によって定義される。
【０２１９】
【数６】
0006637164.tif 000044
【０２２０】
式６で、ＮｚｃはＺＣシーケンスの長さ６３を表し、ｄｕ（ｎ）はルートインデックスｕによるＰＳＳシーケンスを表す。このとき、直流（ＤＣ：Ｄｉｒｅｃｔ  Ｃｕｒｒｅｎｔ）副搬送波に該当するシーケンス要素（ｅｌｅｍｅｎｔ）ｎ＝３１は穿孔（ｐｕｎｃｔｕｒｉｎｇ）する。
【０２２１】
同期化のためのフィルター設計を容易にするために、帯域幅の中央部分に該当する６ＲＢ（＝７２副搬送波）の中で９個の残る副搬送波は常に０の値で送信する。総３個のＰＳＳを定義するために、式２でｕ＝２５、２９、及び３４の値を用いることができる。このとき、ｕ２９と３４は共役対称（ｃｏｎｊｕｇａｔｅ  ｓｙｍｍｅｔｒｙ）関係を有するので、２個の相関（ｃｏｒｒｅｌａｔｉｏｎ）を同時に行うことができる。ここで、共役対称は、次式３の関係を意味する。共役対称特性を用いてｕ＝２９と３４に対するワンショット相関器（ｏｎｅ−ｓｈｏｔ  ｃｏｒｒｅｌａｔｏｒ）の具現が可能であり、全体的な演算量を約３３．３％も減少させることができる。
【０２２２】
【数７】
0006637164.tif 000045
【０２２３】
１．８．２  セカンダリ同期信号（ＳＳＳ）
【０２２４】
ＳＳＳは長さ３１の２つのｍ−シーケンスをインタリービング及び接合して生成される。このとき、２つのシーケンスを組み合わせて１６８セルグループ識別子（ｃｅｌｌ  ｇｒｏｕｐ  ＩＤ）を識別することができる。ＳＳＳのシーケンスとしてｍ−シーケンスは周波数選択的環境でロバストであり、高速アダマール変換（Ｆａｓｔ  Ｈａｄａｍａｒｄ  Ｔｒａｎｓｆｏｒｍ）を用いた高速ｍ−シーケンス変換によって演算量を減らすことができる。また、２つの短い符号（ｓｈｏｒｔ  ｃｏｄｅ）でＳＳＳを構成することは、端末の演算量を減らすために提案された。
【０２２５】
図１３は、セカンダリ同期信号を生成する方法の一つを示す図である。
【０２２６】
図１３を参照すると、論理領域において定義される２つのｍ−シーケンスが物理領域においてインタリービングされてマップされることを確認することができる。例えば、ＳＳＳ符号生成のために用いられる２つのｍ−シーケンスをそれぞれＳ１、Ｓ２と定義するとき、サブフレームインデックス０のＳＳＳが（Ｓ１，Ｓ２）の２つの組み合わせでセルグループ識別子を送信すると、サブフレームインデックス５のＳＳＳは（Ｓ２，Ｓ１）として交換（ｓｗａｐｐｉｎｇ）して送信することによって、１０ｍｓフレーム境界を区分することができる。このとき、用いられるＳＳＳ符号は、ｘ５＋ｘ２＋１の生成多項式を使用し、互いに異なる循環遷移（ｃｉｒｃｕｌａｒ  ｓｈｉｆｔ）を用いて総３１個の符号を生成することができる。
【０２２７】
受信性能を向上させるために、ＰＳＳベース（ＰＳＳ−ｂａｓｅｄ）の互いに異なる２つのシーケンスを定義してＳＳＳにスクランブルするものの、Ｓ１とＳ２に互いに異なるシーケンスでスクランブルする。その後、Ｓ１ベース（Ｓ１−ｂａｓｅｄ）のスクランブリング符号を定義して、Ｓ２にスクランブリングを行うことができる。このとき、ＳＳＳの符号は５ｍｓ単位に交換されるが、ＰＳＳベースのスクランブリング符号は交換されない。ＰＳＳベースのスクランブリング符号は、ｘ５＋ｘ２＋１の生成多項式から生成されたｍ−シーケンスにおいてＰＳＳインデックスによって６個の循環遷移方式で定義し、Ｓ１ベースのスクランブリング符号は、ｘ５＋ｘ４＋ｘ２＋ｘ１＋１の多項式から生成されたｍ−シーケンスにおいてＳ１のインデックスによって８個の循環遷移バージョンで定義する。
【０２２８】
２．  ＮＢ−ＩｏＴ（ＮａｒｒｏｗＢａｎｄ  Ｉｎｔｅｒｎｅｔ  ｏｆ  Ｔｉｎｇｓ）
【０２２９】
２．１  ＮＢ−ＩｏＴ一般
【０２３０】
狭帯域ＬＴＥ（ＮＢ：ＮａｒｒｏｗＢａｎｄ  ＬＴＥ）は、ＬＴＥシステムで定義する１つのＰＲＢに該当するシステム帯域幅を有する低い複雑度、低い電力消耗（ｐｏｗｅｒ  ｃｏｎｓｕｍｐｔｉｏｎ）を支援するためのシステムである。これは主に、ＭＴＣ（Ｍａｃｈｉｎｅ−Ｔｙｐｅ  Ｃｏｍｍｕｎｉｃａｔｉｏｎ）のような機器をセルラーシステムで支援してＩｏＴ（Ｉｎｔｅｒｎｅｔ  ｏｆ  Ｔｈｉｎｇｓ）を具現するための通信方式として利用することができる。すなわち、狭帯域ＬＴＥシステムをＮＢ−ＩｏＴシステムと呼ぶことができる。
【０２３１】
ＮＢ−ＩｏＴシステムでは既存のＬＴＥシステムのサブキャリアスぺーシング（ｓｕｂｃａｒｒｉｅｒ  ｓｐａｃｉｎｇ）などのＯＦＤＭパラメータとしてＬＴＥと同じものを使用することによって更なる帯域を割り当てず、レガシーＬＴＥ帯域で使用する１つのＰＲＢをＮＢ−ＬＴＥ用に割り当てることによって、周波数を効率的に利用することができるという長所がある。
【０２３２】
ＮＢ−ＬＴＥシステムの物理チャネルは、下りリンクの場合、Ｍ−ＰＳＳ／Ｍ−ＳＳＳ、Ｍ−ＰＢＣＨ、Ｍ−ＰＤＣＣＨ／Ｍ−ＥＰＤＣＣＨ、Ｍ−ＰＤＳＣＨなど、又はＮＢ−ＰＳＳ／ＮＢ−ＳＳＳ、ＮＢ−ＰＢＣＨ、ＮＢ−ＰＤＣＣＨ／ＮＢ−ＥＰＤＤＣＨ、ＮＢ−ＰＤＳＣＨなどと定義し、ＬＴＥシステムの物理チャネルと区別するために‘Ｍ−’又は‘ＮＢ−’を加えて定義している。
【０２３３】
既存のＬＴＥ／ＬＴＥ−Ａシステムは、６つのＰＲＢが最小システムＢＷであり、ＰＳＳ／ＳＳＳ、ＰＢＣＨなどが６つのＰＲＢに該当する７２個のサブキャリアで送信される。図１４はシステム帯域幅のＰＲＢ個数による、ＰＳＳ／ＳＳＳ、ＰＢＣＨの送信が可能なＰＲＢ集合を説明するための図である。
【０２３４】
図１４（ａ）は、システム帯域幅が偶数個のＰＲＢ（例えば、１２個のＰＲＢ）で構成されて、中心周波数（Ｃｅｎｔｅｒ  Ｆｒｅｑｕｅｎｃｙ）がＲＢインデックス５及び６の境界に位置する場合を示している。すなわち、図１４（ａ）は、中心周波数がＲＢ境界で形成される場合を示す。
【０２３５】
図１４（ｂ）は、システム帯域幅が奇数個のＰＲＢ（例えば、１５個のＰＲＢ）で構成されて、中心周波数がＲＢインデックス７の中間に形成される場合を示している。
【０２３６】
図１４（ａ）及び図１４（ｂ）では、中央の６個のＲＢにＰＳＳ、ＳＳＳ及び／又はＰＢＣＨが割り当てられている。ただし、図１４（ｂ）の場合、中心周波数がインデックス７のＲＢに位置しているので、ＰＳＳ、ＳＳＳ及び／又はＰＢＣＨは７個のＲＢに割り当てられてもよい。このとき、ＲＢインデックス４及び１０では一部だけがＰＲＢ集合として構成される。
【０２３７】
２．２  ＮＢ  ＬＴＥセルサーチ方法
【０２３８】
図１５は、ＮＢ−ＩｏＴシステムにおいて用いられるＭ−ＰＳＳ及びＭ−ＳＳＳフレーム構造を説明するための図である。
【０２３９】
ＮＢ−ＬＴＥシステムにおけるセルサーチ方法は、セルサーチ性能を向上させるために、シーケンスデザインを適合な修正をして別々にするが、ＬＴＥ／ＬＴＥ−Ａシステムの方式と同じ方法に従う。図１５にセル同期シーケンスの構造を示す。
【０２４０】
図１５を参照すると、プライマリ同期シーケンス（Ｍ−ＰＳＳ）は、１つのプライマリ同期シーケンスが用いられ、９個のＯＦＤＭシンボルで送信される。Ｍ−ＰＳＳはサブフレームタイミングを決定し、周波数オフセットを合わせるために用いられる。このとき、Ｍ−ＰＳＳは時間軸上で連続している９個のＯＦＤＭシンボルで送信される。
【０２４１】
セカンダリ同期シーケンス（Ｍ−ＳＳＳ）は、６個のＯＦＤＭシンボル時間を占め、セル識別及びＭ−フレームタイミングを合わせるために用いられる。ＬＴＥシステムと同じ個数のセル識別グループを支援すべく５０４個の異なるＳＳＳが設計される。
【０２４２】
図１５のシーケンス設計から、Ｍ−ＰＳＳ及びＭ−ＳＳＳは平均して毎２０ｍｓで反復され、８０ｍｓブロック内で４回発生する。同期シーケンスを含むサブフレームにおいて、一般ＣＰの場合、Ｍ−ＰＳＳは末尾の９個のＯＦＤＭシンボルを占め、Ｍ−ＳＳＳは６、７、１０、１１、１３及び１４番目のＯＦＤＭシンボルを占める。拡張ＣＰの場合、Ｍ−ＳＳＳは、５、６、９、１１及び１２番目のＯＦＤＭシンボルを占めるように構成される。
【０２４３】
Ｍ−ＰＳＳの９個のＯＦＤＭシンボルはＬＴＥキャリア内の帯域内（ｉｎｂａｎｄ）配置を支援するために選択される。なぜなら、先頭における３つのＯＦＤＭシンボルはＬＴＥシステムにおいてＰＤＣＣＨを搬送するために用いられ、少なくとも１２個のＯＦＤＭシンボル（拡張ＣＰの場合）でサブフレームが構成されるためである。Ｍ−ＰＳＳに対して、ＬＴＥシステムのＣＲＳが送信されるリソース要素と対応するリソース要素は衝突を避けるためにパンクチャされる。
【０２４４】
Ｍ−ＰＳＳ／Ｍ−ＳＳＳの特定位置は、ＰＤＣＣＨ、ＰＣＦＩＣＨ、ＰＨＩＣＨ及びＭＢＳＦＮのようなレガシーＬＴＥ信号との衝突を避けるように設定される。ＬＴＥシステムに対して、ＮＢ−ＬＴＥシステムの同期シーケンスは少し異なるように設計される。これは、より迅速な同期取得と端末のメモリ消耗の減少との妥協のために行われる。また、８０ｍｓ間隔で４回反復されるため、Ｍ−ＳＳＳに８０ｍｓ間隔内で不確実なタイミングを解消するために少し修正された設計が必要である。
【０２４５】
２．３  Ｍ−ＰＳＳ及びＭ−ＳＳＳの構造
【０２４６】
ＬＴＥシステムにおいて、ＰＳＳ構造は時間及び周波数オフセット推定器（ｅｓｔｉｍａｔｏｒ）の低い複雑度の設計を許容し、ＳＳＳはフレームタイミング及び５０４個の固有のセル識別子を支援するために設計される。
【０２４７】
図１６は、Ｍ−ＰＳＳを生成するための過程を説明するための図である。
【０２４８】
ＮＢ−ＬＴＥシステムにおいて単一のＭ−ＰＳＳが定義される。ＰＳＳ同期過程において特定個数の周波数仮説（ｈｙｐｏｔｈｅｓｅｓ）がシンボルタイミング及び概略的な周波数オフセットの推定のために各ＰＳＳに対して用いられる。ＮＢ−ＬＴＥシステムにＬＴＥシステムと同じ同期過程を適用する場合、多数の周波数仮説による高い受信機処理複雑度を招くことがある。
【０２４９】
このような問題を解決するために、Ｍ−ＰＳＳに対して、時間平面において類似するが異なるザドフチューシーケンスが提案される。送信段階において差分符号化（ｄｉｆｆｅｒｅｎｔｉａｌ  ｅｎｃｏｄｉｎｇ）によって、差分復号化（ｄｉｆｆｅｒｅｎｔｉａｌ  ｄｅｃｏｄｉｎｇ）が受信機処理過程で行われる。この結果、周波数オフセットは、シンボル上で連続した回転からシンボル上で固定した位相オフセットに転換される。
【０２５０】
図１６を参照すると、長さ１０７のザドフチューシーケンスから始まって次式８のように基底シーケンスｃ（ｎ）を取得することができる。
【０２５１】
【数８】
0006637164.tif 000046
【０２５２】
基底シーケンスｃ（ｎ）が差分符号化されて次式９のようなシーケンスｄ（ｎ）が算出される。
【０２５３】
【数９】
0006637164.tif 000047
【０２５４】
シーケンスｄ（ｎ）はそれぞれ、１２の長さ及びサンプルレート（ｓａｍｐｌｅ  ｒａｔｅ）１８０ｋＨＺの９個のサブシーケンスに分けられる。１２−ポイントＦＦＴがそれぞれの９個のサブシーケンスに行われ、各サブシーケンスは１．９２ＭＨｚのサンプルレートのためにゼロパッド（ｚｅｒｏ  ｐａｄｄｅｄ）された１２８ポイントＩＦＦＴを用いて１２８／１２回オーバーサンプルされる。その結果、各シーケンスは９個のＯＦＤＭシンボル上で１２サブキャリアにそれぞれマップされる。
【０２５５】
各サブシーケンスは１つのＯＦＤＭシンボルを構成し、９個のサブシーケンスがあるので、Ｍ−ＰＳＳは９個のＯＦＤＭシンボルを占める。総Ｍ−ＰＳＳの長さは９個の一般ＣＰサンプルが用いられる場合、（１２８＋９）＊９＋１＝１２３４サンプルであり、拡張ＣＰが用いられる場合、１４４０サンプルである。
【０２５６】
図１６は、Ｍ−ＰＳＳを生成する方法を説明しており、送信で用いられる実際Ｍ−ＰＳＳは毎時間に送信機／受信機で同じ複雑な過程を経て生成される必要はない。Ｍ−ＰＳＳに相応する複雑係数（ｔｕ（ｎ））はオフラインで生成可能であり、直ちに送信機／受信機に保存することができる。また、Ｍ−ＰＳＳが１．９２ＭＨｚと生成されても、占有される帯域幅は１８０ｋＨＺである。したがって、受信機において、Ｍ−ＰＳＳを使用する時間及び周波数オフセットの推定と関連した全ての処理過程で１９２ｋＨＺのサンプリングレートを用いることができる。
【０２５７】
ＬＴＥシステムと比較すれば、ＮＢ−ＬＴＥシステム内のＭ−ＰＳＳの発生頻度は、ＬＴＥシステムにおいてＰＳＳに対するオーバーヘッドよりやや大きい。特に、ＬＴＥシステムにおいて用いられる同期シーケンスは全送信リソースの２．８６％を占め、ＮＢ−ＬＴＥシステムにおいて用いられる同期シーケンスは概ね全リソースの５．３６％を占める。このような追加オーバーヘッドは同期時間の減少及びメモリ消耗の減少をもたらし、バッテリ寿命の増加及び低い機器コストにつながるという長所がある。
【０２５８】
図１７は、Ｍ−ＳＳＳを生成するための過程を説明するための図である。
【０２５９】
セカンダリ同期信号（Ｍ−ＳＳＳ）は周波数平面において設計され、それぞれの６個のＯＦＤＭシンボル内で１２個のサブキャリアを占有する。したがって、Ｍ−ＳＳＳに用いられるリソース要素の個数は７２個である。Ｍ−ＳＳＳは、先頭部分に１１個の‘０’（ゼロ）がパッド（ｐａｄ）された１つの６１長さのザドフチューシーケンスで構成される。拡張ＣＰの場合、Ｍ−ＳＳＳの先頭の２シンボルは使用されず、残ったシンボルは可用のＯＦＤＭシンボルにマップされる。このように使用されない領域は、先頭部分に１１個のゼロがあるので、長さ６１のシーケンスから只一つのシンボル内で発生する。一つのシンボルを使用しないことは、互いに異なるＳＳＳのコリレーション特性においてちょっとした低下だけを招く。互いに異なるルート（ｒｏｏｔｓ）に対するシーケンス及び循環遷移を、５０４個までの固有のセル識別を支援するために提供することができる。ＮＢ−ＬＴＥシステムにおいてザドフチューシーケンスを利用する理由は、ＬＴＥシステムにおいてｍ−シーケンスを利用することに比べて誤検出率（ｆａｌｓｅ  ｄｅｔｅｃｔｉｏｎ  ｒａｔｅ）を減らすためである。なぜなら、ｍ−シーケンスを利用するＬＴＥシステムは、２つの異なるセル識別グループに対する一般シーケンスの存在によって追加の処理過程を要求するためである。
【０２６０】
Ｍ−ＰＳＳ／Ｍ−ＳＳＳは毎８０ｍｓブロック内で４回発生するので、ＬＴＥシステムにおけるＳＳＳ設計はこのようなブロック内で正確なタイミング情報を提供することができない。なぜなら、ＬＴＥシステムでは２個の位置だけを決定するための特定インタリービング構造が用いられるが、ＮＢ−ＬＴＥシステムでは４個の位置を決定する必要があるためである。したがって、８０ｍｓブロック内で４個の位置を決定するために４個のスクランブリングシーケンスが要求され、４個のスクランブリングシーケンスを正確なタイミングを取得するのに活用することができる。
【０２６１】
図１７を参照すると、Ｍ−ＳＳＳを表すｓｐ，ｑ（ｎ）はａｐ（ｎ）ｂｑ（ｎ）のように与えられる。このとき、ｐ（ｐ＝｛０，１，…，５０３｝）はセル識別子を表し、ｑ（ｑ＝｛０，１，２，３｝）はＭ−ＳＳＳの位置を決定するために用いられる。
【０２６２】
ａｐ（ｎ）はザドフチューシーケンスであり、セル識別グループを決定するために用いられる。ルートｍ１（ｐ）及び循環遷移ｋｐは特定セル識別を提供するために用いられる。ａｐ（ｎ）は次式１０のように定義される。
【０２６３】
【数１０】
0006637164.tif 000048
【０２６４】
ｂｑ（ｎ）は、基底シーケンスｂ（ｎ）の循環遷移で構成されたサンプリングシーケンスであり、フレームタイミングを取得するためにＭ−フレーム内でＭ−ＳＳＳの位置を示すのに使用される。ｂｑ（ｎ）は次式１１のように定義される。
【０２６５】
【数１１】
0006637164.tif 000049
【０２６６】
式１１で、循環遷移ｌｑはｑ値に従属する。特定ｐに対するｍ（ｐ）及びｋｐ値は
0006637164.tif 000050
及び
0006637164.tif 000051
のように与えられる。
【０２６７】
３．  ＮＢ−ＬＴＥシステムにおいて帯域内動作を支援する方法
【０２６８】
本発明の実施例でいう帯域内動作（ｉｎ−ｂａｎｄ  ｏｐｅｒａｔｉｏｎ）又は帯域内配置（ｉｎ−ｂａｎｄ  ｄｅｐｌｏｙｍｅｎｔ）は、ＮＢ−ＩｏＴ技術がＬＴＥ帯域内で動作するＩｏＴ技術を意味する。また、以下で説明する端末は、ＮＢ−ＩｏＴ技術を支援するＮＢ−ＩｏＴ端末を意味し、基地局は、ＮＢ−ＩｏＴ技術を支援するＮＢ−ＩｏＴ基地局を意味する。また、帯域内動作又は帯域内配置されたＮＢ−ＩｏＴ基地局に接続するＮＢ−ＩｏＴ端末は、帯域内配置モードとして設定され得る。
【０２６９】
以下で説明する本発明の実施例において、ＮＢ−ＩｏＴ基地局又はＮＢ−ＬＴＥシステムで支援される下りリンク物理チャネル又は上りリンク物理チャネルには、レガシーＬＴＥ／ＬＴＥ−Ａシステムの下りリンク／上りリンク物理チャネルに“Ｍ−”、“ＮＢ−”又は“Ｎ−”などのような接頭辞を付けて、レガシーシステムと区別することができ、これらの接頭辞はＮＢ−ＩｏＴシステムにおいて用いられる物理チャネルを表し、いずれも同じ意味で使うことができる。また、本発明の実施例において‘Ａ／Ｂ’の表現は、‘Ａ’、‘Ｂ’、又は‘Ａ及びＢ’を意味する。
【０２７０】
３．１  ＮＢ−ＬＴＥシステムにおいて下りリンク物理チャネル送受信方法−１
【０２７１】
本発明の一実施例として、ＮＢ−ＬＴＥシステムが帯域内配置を仮定する場合、ＮＢ−ＬＴＥシステムにおいて構成されて送信されるＰＲＢはレガシーＬＴＥシステムのＰＲＢ境界と一致するように構成することが好ましい。
【０２７２】
図１４を参照すると、システム帯域幅に該当するＰＲＢの個数によってＮＢ−ＬＴＥのために用いられる１２個のサブキャリアがレガシーＬＴＥシステムの１個のＰＲＢ又は２個のＰＲＢに影響を与えることができる。レガシーＬＴＥシステムの無線リソース使用に影響を与えるために、レガシーＬＴＥシステムのＰＲＢ境界に一致させてＮＢ−ＬＴＥシステムの送信を行うことが好ましい。
【０２７３】
また、ＬＴＥシステムにおいてＰＳＳ／ＳＳＳを用いてセルサーチを行う場合、端末は１００ＫＨｚ単位で中心周波数（ｃｅｎｔｅｒ  ｆｒｅｑｕｅｎｃｙ）を移動しながらＰＳＳ／ＳＳＳの検出を試みることによってセルサーチを行う。この場合、レガシーＬＴＥシステムのＰＲＢ境界と一致し、１００ＫＨｚ中心周波数ラスター（ｃｅｎｔｅｒ  ｆｒｅｑｕｅｎｃｙ  ｒａｓｔｅｒ）を満たすＰＲＢでＮＢ−ＬＴＥシステムのＭ−ＰＳＳ／Ｍ−ＳＳＳが送信されるように構成することが好ましい。このとき、１００ＫＨｚの中心周波数ラスターをＮＢ−ＩｏＴ端末のセルサーチ単位で設定することができる。
【０２７４】
例えば、レガシーＬＴＥシステムの帯域幅を１５ＰＲＢと仮定すれば、中心周波数は、図１４（ｂ）のＰＲＢ  ＃７の中心に該当する。このとき、１００ＫＨｚラスターとＰＲＢ境界（例えば、１８０ＫＨｚ単位）を一致させるためには、９００ＫＨｚの倍数で中心周波数から離れているＰＲＢインデックス（例えば、ＰＲＢ  ＃２、ＰＲＢ  ＃１２）にＮＢ−ＬＴＥシステムのＭ−ＰＳＳ／Ｍ−ＳＳＳが送信されるように構成することが好ましい。すなわち、ＮＢ−ＬＴＥシステムのセルサーチ単位とＰＲＢ単位との最小公倍数と設定されるＰＢＲインデックスでＭ−ＰＳＳ／Ｍ−ＳＳＳが送信されるように構成することができる。
【０２７５】
他のシステム帯域幅の場合も、このような方法でＮＢ−ＬＴＥシステム信号の送信が可能なＰＲＢインデックスを計算することができる。
【０２７６】
または、ＮＢ−ＬＴＥ信号の送信が可能な中心周波数をあらかじめ指定していてもよい。こうすると、ＮＢ−ＬＴＥ端末は１００ＫＨｚ単位でセルサーチを行う必要がなく、指定された周波数に対してのみセルサーチ動作を行えばいいので、端末のセルサーチ具現を簡単にすることができる。例えば、端末は帯域幅の大きさ、帯域幅の位置、セルサーチ単位、ＰＲＢサイズなどに基づいて端末に指定された周波数が分かり、指定された周波数に対してのみセルサーチを行うことができる。
【０２７７】
この場合、基地局は物理チャネル（例えば、Ｍ−ＰＳＳ、Ｍ−ＳＳＳ、Ｍ−ＰＢＣＨ、Ｍ−ＰＤＣＣＨ、Ｍ−ＥＰＤＣＣＨ、Ｍ−ＰＤＳＣＨなど）を送信するとき、レガシーＬＴＥシステムのＰＢＲ境界に合わせて送信し、端末はレガシーＬＴＥシステムのＰＢＲ境界に基づいて物理チャネルを受信することができる。
【０２７８】
３．２  ＮＢ−ＬＴＥシステムにおいて下りリンク物理チャネル送受信方法−２
【０２７９】
本発明の他の実施例として、Ｍ−ＰＳＳ、Ｍ−ＳＳＳ及びＭ−ＰＢＣＨをレガシーＬＴＥシステムのＰＲＢ境界に一致させないで送信するように設定することができる。このとき、Ｍ−ＰＳＳ／Ｍ−ＳＳＳ、Ｍ−ＰＢＣＨはレガシーＬＴＥシステムのＰＳＳ、ＳＳＳ及び／又はＰＢＣＨが送信される中心６ＰＲＢ又は全ての中心６ＰＲＢに該当する７２サブキャリアで送信されないことが好ましい。これは、レガシーＬＴＥシステムのＰＳＳ、ＳＳＳ及び／又はＰＢＣＨ性能を保障し、ＮＢ−ＬＴＥシステムの性能にも影響を与えないためである。
【０２８０】
端末がセルサーチを行ってサービングセルに関する情報を取得したので、基地局はＭ−ＰＤＣＣＨ、Ｍ−ＥＰＤＣＣＨ及びＭ−ＰＤＳＣＨをレガシーＬＴＥシステムのＰＲＢ境界に一致させてＮＢ−ＬＴＥ送信を行うことができる。これは、端末が１００ＫＨｚラスター単位でセルサーチを行う既存の具現をそのまま利用することができるという長所がある。このとき、Ｍ−ＰＢＣＨを介してＭ−ＰＤＣＣＨ／Ｍ−ＥＰＤＣＣＨ、Ｍ−ＰＤＳＣＨなどが送信されるＰＲＢに関する情報を送信することができる。
【０２８１】
すなわち、基地局は、物理チャネルのうち、同期及びシステム情報を送信するための物理チャネル（例えば、Ｍ−ＰＳＳ、Ｍ−ＳＳＳ及びＭ−ＰＢＣＨなど）はレガシーＬＴＥシステムのＰＲＢ境界に一致させないで送信することができ、データを送受信するための制御チャネル及びデータチャネル（例えば、Ｍ−ＰＤＣＣＨ／Ｍ−ＥＰＤＣＣＨ、Ｍ−ＰＤＳＣＨなど）はレガシーＬＴＥシステムのＰＲＢ境界に一致させて送信することができる。
【０２８２】
３．３  ＮＢ−ＬＴＥシステムにおいて下りリンク物理チャネル送受信方法−３
【０２８３】
本発明の更に他の実施例として、基地局はＭ−ＰＳＳ及びＭ−ＳＳＳのみをレガシーＬＴＥシステムのＰＲＢ境界に一致させないで送信し、Ｍ−ＰＢＣＨ、Ｍ−ＰＤＣＣＨ、Ｍ−ＥＰＤＣＣＨ及びＭ−ＰＤＳＣＨなどはＰＲＢ境界に一致させて送信することができる。
【０２８４】
このとき、Ｍ−ＰＢＣＨ、Ｍ−ＰＤＣＣＨ／Ｍ−ＥＰＤＣＣＨ及びＭ−ＰＤＳＣＨが送信されるＰＲＢはあらかじめ指定されてもよく、Ｍ−ＰＳＳ及びＭ−ＳＳＳの仮定（ｈｙｐｏｔｈｅｓｉｓ）から取得してもよい。
【０２８５】
または、端末はＭ−ＰＳＳ及びＭ−ＳＳＳの仮定からＭ−ＰＢＣＨが送信されるＰＲＢの情報を取得し、Ｍ−ＰＤＣＣＨ／Ｍ−ＥＰＤＣＣＨ及び／又はＭ−ＰＤＳＣＨが送信されるＰＲＢ情報はＭ−ＰＢＣＨから取得することができる。
【０２８６】
３．４  システム情報送信方法
【０２８７】
基地局はＮＢ−ＩｏＴ端末にＮＢ−ＩｏＴシステムが帯域内配置モードであることを示すシグナリングを、ＲＲＣ層で送信される信号（例えば、ＲＲＣ信号、Ｍ−ＳＩＢ、Ｍ−ＭＩＢなど）又は物理層（すなわち、Ｌ１）シグナリングなどを用いて送信することができる。
【０２８８】
ＬＴＥシステムでは基地局はＣＲＳ情報を送信しない。しかし、ＮＢ−ＬＴＥシステムではＣＲＳ情報（例えば、周波数遷移（ｖ−ｓｈｉｆｔ）値など）を端末に送信することによって、ＮＢ−ＩｏＴ端末が帯域内配置モードで動作できることを示すことができる。
【０２８９】
３．５  Ｍ−ＰＢＣＨ送受信方法
【０２９０】
レガシーＬＴＥシステムではＰＢＣＨをＣＲＳを用いて復調（ｄｅｍｏｄｕｌａｔｉｏｎ）することができる。ＮＢ−ＬＴＥシステムの場合、Ｍ−ＰＢＣＨが中心１ＰＲＢに該当する１２サブキャリアでのみ送信されると仮定すれば、端末はＣＲＳを用いてＭ−ＰＢＣＨを復調することができる。
【０２９１】
しかし、Ｍ−ＰＢＣＨがレガシーＬＴＥシステムの中心１ＰＲＢに該当する位置以外の一つのＰＲＢ又は複数のＰＲＢで送信される場合、ＮＢ−ＬＴＥ端末（すなわち、ＮＢ−ＩｏＴ端末）は当該ＰＲＢに対するＰＲＢインデックスが分からず、レガシーＬＴＥシステムのＣＲＳを用いてＭ−ＰＢＣＨをデコードすることができない。
【０２９２】
以下では、帯域内配置モードとして設定された端末及び／又は基地局が、レガシーＬＴＥシステムの中心１ＰＲＢではなく任意のＰＲＢでＭ−ＰＢＣＨを送受信する方法について説明する。
【０２９３】
３．５．１  レガシーＣＲＳを考慮したＭ−ＰＢＣＨ送受信方法
【０２９４】
基地局はＭ−ＰＢＣＨの変調方式として、ノンコヒーレント検出（ｎｏｎ−ｃｏｈｅｒｅｎｔ  ｄｅｔｅｃｔｉｏｎ）が可能な差分変調（ｄｉｆｆｅｒｅｎｔｉａｌ  ｍｏｄｕｌａｔｉｏｎ）方式を用いることができる。このとき、Ｍ−ＰＢＣＨが送信されるＲＥとレガシーＣＲＳが送信されるＲＥとが重なる場合、次のようなＭ−ＰＢＣＨ送受信方法を考慮することができる。
【０２９５】
３．５．１．１  第１−１方法
【０２９６】
基地局及び／又は端末はＭ−ＰＳＳ／Ｍ−ＳＳＳから取得したセル識別子（ｃｅｌｌ  ｉｄ）からレガシーＣＲＳの周波数遷移（ｖ−ｓｈｉｆｔ）値（ｖｓｈｉｆｔ）を取得できると仮定する。また、基地局及び／又は端末はレガシーＬＴＥで支援可能な最大ＣＲＳアンテナポート数を特定個数（例えば、２又は４など）と仮定することができる。このとき、基地局は、レガシーＣＲＳが割り当てられるＲＥにＭ−ＰＢＣＨをマップせずにレートマッチング（ｒａｔｅ  ｍａｔｃｈｉｎｇ）を行うことができる。
【０２９７】
このとき、レガシーＣＲＳのｖ−ｓｈｉｆｔ値はＭ−ＰＳＳ／Ｍ−ＳＳＳから取得したセル識別子（Ｎ−ｃｅｌｌ  ＩＤ）から取得できるｖ−ｓｈｉｆｔ値と同一だと仮定する。ＬＴＥシステムのセル識別子とＮＢ−ＬＴＥシステムのセル識別子とが同一であれば、ｖ−ｓｈｉｆｔ値は同一に導出され得るためである。
【０２９８】
ただし、帯域内配置モードのＮＢ−ＩｏＴ端末がＭ−ＰＳＳ／Ｍ−ＳＳＳから検出したセル識別子はレガシーセル識別子と異なることがある。このとき、ＬＴＥシステムのセル識別子とＮＢ−ＬＴＥシステムのセル識別子とが異なっても、端末はｖ−ｓｈｉｆｔ値を同一のものと仮定することができる。また、ＮＢ−ＬＴＥシステムは、レガシーセル識別子とＮＢ−ＬＴＥシステムのセル識別子（Ｎ−ｃｅｌｌ  ＩＤ）が異なる場合に、両識別子から導出されるｖ−ｓｈｉｆｔ値が同一となるようにＮ−ｃｅｌｌ  ＩＤを設定することができる。
【０２９９】
第１−１方法について図１８を参照してまた説明する。
【０３００】
図１８は、Ｍ−ＰＢＣＨを送受信する一方法を説明するための図である。
【０３０１】
図１８を参照すると、端末はサービングセルでＭ−ＰＳＳ／Ｍ−ＳＳＳを受信して時間及び周波数同期を取り（Ｓ１８１０）、受信したＭ−ＰＳＳ及び／又はＭ−ＳＳＳからＮＢ−ＬＴＥシステムのセル識別子（Ｎ−ｃｅｌｌ  ＩＤ）を取得することができる（Ｓ１８２０）。
【０３０２】
ＮＢ−ＩｏＴ端末は、自身が帯域内配置モードか否かを示す上位層信号（例えば、ＭＩＢ又はＲＲＣ層信号）を受信することができる。この時、当該上位層信号は、ＮＢ−ＩｏＴ端末が帯域内配置モードとして設定されたことを示すことができる（Ｓ１８３０）。
【０３０３】
帯域内配置モードとして設定された端末は、当該サービングセルでセル識別子から取得したｖ−ｓｈｉｆｔ値はＬＴＥシステムのレガシーＣＲＳに対するｖ−ｓｈｉｆｔ値と同一であると仮定することができる。また、端末はレガシーＣＲＳのための特定アンテナポート及び特定アンテナポートの個数（例えば、２個又は４個）を仮定してレガシーＣＲＳの割り当て位置を推定することができる（Ｓ１８４０）。
【０３０４】
図１８で、基地局は、レガシーＣＲＳ又はＭ−ＣＲＳがマップされるＲＥの位置がＭ−ＰＢＣＨがマップされるＲＥの位置と重なる場合、重なるＭ−ＰＢＣＨのＲＥをパンクチャして送信したり、又はレガシーＣＲＳ（又は、Ｍ−ＣＲＳ）が割り当てられるＲＥにＭ−ＰＢＣＨをマップしないで残りのＲＥにレートマッチングしてＭ−ＰＢＣＨを送信することができる。したがって、端末は、推定したレガシーＣＲＳの位置を考慮してＭ−ＰＢＣＨをデコードすることができる。例えば、端末は、推定したレガシーＣＲＳが割り当てられるＲＥにはＭ−ＰＢＣＨが割り当てられないと仮定し、残りのＲＥでＭ−ＰＢＣＨを受信及びデコードすることができる（Ｓ１８５０）。
【０３０５】
図１８において同一のサービングセルで、ＮＢ−ＬＴＥシステムで送信されるＭ−ＰＳＳ／Ｍ−ＳＳＳから導出されるセル識別子はレガシーＬＴＥシステムのセル識別子と同一に設定されることもあり、個別に設定されることもある。仮に、同一のサービングセルでレガシーセルＩＤとＮ−Ｃｅｌｌ  ＩＤとが異なる場合、ＮＢ−ＬＴＥシステムはｖ−ｓｈｉｆｔ値が同一に導出されるようにＮ−Ｃｅｌｌ  ＩＤを設定することができる。
【０３０６】
３．５．１．２  第１−２方法
【０３０７】
端末及び／又は基地局はＭ−ＰＳＳ／Ｍ−ＳＳＳから取得したセル識別子からレガシーＣＲＳのｖ−ｓｈｉｆｔ値を取得できると仮定しなくてもよい。この場合、基地局はレガシーＣＲＳの割り当てられるＲＥと重なるＭ−ＰＢＣＨ  ＲＥをパンクチャして送信することができる。
【０３０８】
このとき、端末がＭ−ＰＢＣＨをデコードできるようにするために、ＮＢ−ＬＴＥ  ＣＲＳ（すなわち、Ｍ−ＣＲＳ）を導入することができる。
【０３０９】
このとき、Ｍ−ＣＲＳは、Ｍ−ＰＳＳ／Ｍ−ＳＳＳから取得されるセル識別子を用いてスクランブルすることができる。
【０３１０】
３．５．２  ＮＢ−ＩｏＴシステムに新しく定義されるＭ−ＣＲＳを考慮したＭ−ＰＢＣＨ送受信方法
【０３１１】
本発明の実施例では、端末がＭ−ＰＢＣＨをデコードできるようにするために、Ｍ−ＣＲＳ（又は、Ｎ−ＲＳ、ＮＢ−ＣＲＳ）を新しく定義することができる。このとき、Ｍ−ＣＲＳは、Ｍ−ＰＳＳ／Ｍ−ＳＳＳから取得されるセル識別子（Ｎ−ｃｅｌｌ  ｉｄ）を用いてスクランブルすることができる。Ｍ−ＣＲＳが送信されるアンテナポートの個数を特定値（例えば、１又は２）と仮定することができる。
【０３１２】
仮に、Ｍ−ＰＢＣＨが送信されるＲＥとレガシーＬＴＥシステムのＣＲＳ及び／又はＭ−ＣＲＳが送信されるＲＥとが重なる場合、基地局は、上述した第１−１方法又は第１−２方法のような方法でＭ−ＰＢＣＨを送信することができる。
【０３１３】
図１９は、Ｍ−ＰＢＣＨを送受信する他の方法を説明するための図である。
【０３１４】
図１９を参照すると、端末はサービングセルでＭ−ＰＳＳ及びＭ−ＳＳＳを受信して時間及び周波数同期を取り（Ｓ１９１０）、受信したＭ−ＰＳＳ及び／又はＭ−ＳＳＳからＮＢ−ＬＴＥシステムのセル識別子（Ｎ−ｃｅｌｌ  ＩＤ）を取得することができる（Ｓ１９２０）。
【０３１５】
ＮＢ−ＩｏＴ端末は、自身が帯域内配置モードか否かを示す上位層信号（例えば、ＭＩＢ又はＲＲＣ層信号）を受信することができる。この時、当該上位層信号はＮＢ−ＩｏＴ端末が帯域内配置モードであることを示すことができる（Ｓ１９３０）。
【０３１６】
帯域内配置モードである端末は、Ｓ１９２０段階で取得したセル識別子からＭ−ＣＲＳに対するｖ−ｓｈｉｆｔ値を取得することができる。また、端末は取得したｖ−ｓｈｉｆｔ値とＭ−ＣＲＳ（すなわち、ＮＢ−ＣＲＳ）のための特定アンテナポートの個数に基づいてＭ−ＣＲＳの位置を推定することができる（Ｓ１９４０）。
【０３１７】
Ｓ１９４０段階で、端末はＭ−ＣＲＳを受信するために、Ｍ−ＣＲＳが送信されるアンテナポートの個数を特定値（例えば、１又は２）と仮定することができる。
【０３１８】
図１９で基地局は、Ｍ−ＣＲＳがマップされるＲＥの位置がＭ−ＰＢＣＨがマップされるＲＥの位置と重なる場合、重なるＭ−ＰＢＣＨのＲＥをパンクチャして送信したり、又はＭ−ＣＲＳが割り当てられるＲＥにＭ−ＰＢＣＨをマップしないで残りのＲＥにレートマッチングしてＭ−ＰＢＣＨを送信することができる。したがって、端末は、推定したＭ−ＣＲＳの位置を考慮してＭ−ＰＢＣＨをデコードすることができる。例えば、端末はＭ−ＣＲＳの送信アンテナポート数を特定値と仮定し、推定したＭ−ＣＲＳが送信されるＲＥではＭ−ＰＢＣＨが送信されないことを仮定して、Ｍ−ＰＢＣＨを受信及びデコードすることができる（Ｓ１９５０）。
【０３１９】
３．１節及び３．２節で説明した実施例を個別に又は共に行うことができる。レガシーＣＲＳ及びＭ−ＣＲＳは互いに配置される構造ではなく、レガシーＣＲＳは下位互換性（ｂａｃｋｗａｒｄ  ｃｏｍｐａｔｉｂｉｌｉｔｙ）を保障するために用いられ得る。したがって、レガシーＣＲＳ及びＭ−ＣＲＳを同一のサブフレームで送信することができる。
【０３２０】
また、ＬＴＥ／ＬＴＥ−ＡシステムにおいてレガシーＣＲＳはアンテナポート０〜４に順次にマップされ、Ｍ−ＣＲＳはアンテナポート０〜１に順次にマップされる。したがって、端末が最大ＣＲＳアンテナポート数又はＭ−ＣＲＳアンテナポート数を意味する特定値を知っていれば、レガシーＣＲＳ又はＭ−ＣＲＳ送信に用いられるアンテナポートを確認することができる。
【０３２１】
３．６  ＮＢ−ＬＴＥシステムにおいて上りリンク物理チャネル送受信方法
【０３２２】
ＮＢ−ＬＴＥシステムの上りリンクにおいても帯域内配置（ｉｎ−ｂａｎｄ  ｄｅｐｌｏｙｍｅｎｔ）モードを考慮することができる。例えば、レガシーＬＴＥシステムの上りリンクで送信される信号のうち、Ｍ−ＰＵＳＣＨ及び／又はＭ−ＰＲＡＣＨに影響を与え得る信号及びチャネルとしてはＳＲＳ、ＰＵＣＣＨ及び／又はＰＵＳＣＨなどを考慮することができる。
【０３２３】
まず、レガシーＳＲＳが送信されるサブフレームはセル特定ＳＲＳサブフレームであり、レガシーＬＴＥ端末にＲＲＣシグナリングで関連情報を送信することができる。このような方式でセル特定ＳＲＳサブフレームに関する情報をＮＢ−ＬＴＥ端末にシグナリングすることが必要である。すなわち、ＮＢ−ＩｏＴ端末は、レガシーＳＲＳが送信されるレガシーセル特定ＳＲＳサブフレームの位置情報を受信することができる。
【０３２４】
また、ＮＢ−ＩｏＴ端末がレガシーセル特定ＳＲＳサブフレームでＭ−ＰＵＳＣＨを送信する場合、レガシーＳＲＳが送信される最後の送信シンボルはデータ（Ｍ−ＰＵＳＣＨ）送信をしないようにレートマッチングを行うことが好ましい。
【０３２５】
また、Ｍ−ＰＲＡＣＨをレガシーセル特定ＳＲＳサブフレームで送信する場合、次のような方法を考慮することができる。
【０３２６】
（１）第１方法
【０３２７】
端末はＭ−ＰＲＡＣＨを送信する最後の送信シンボルではデータ送信をしないようにレートマッチングを行うことができる。すなわち、端末は、レガシーセル特定ＳＲＳサブフレームと示されたサブフレームでＭ−ＰＲＡＣＨを送信する場合、当該サブフレームの最後のシンボルではＭ−ＰＲＡＣＨを送信しないことが好ましい。
【０３２８】
（２）第２方法
【０３２９】
Ｍ−ＰＲＡＣＨが送信される時間リソースをレガシーセル特定ＳＲＳサブフレームを避けて構成することができる。
【０３３０】
（３）第３方法
【０３３１】
レガシーセル特定ＳＲＳサブフレームか否かに関係なく、端末は帯域内配置モードとして設定された場合、Ｍ−ＰＲＡＣＨを送信するサブフレームの最後の送信シンボルではデータを送信しないように設定することができる。
【０３３２】
しかし、帯域内配置モードでないＮＢ−ＩｏＴ端末の場合は、レガシーセル特定ＳＲＳサブフレーム内の全てのシンボルでＭ−ＰＲＡＣＨを送信することができる。
【０３３３】
したがって、上述した実施例において、基地局はＮＢ−ＩｏＴ端末に、当該端末が帯域内配置モードとして設定されたことを示すシグナリングを、Ｍ−ＳＩＢ／Ｍ−ＲＲＣ／Ｌ１シグナリングなどを用いて送信することができる。
【０３３４】
３．７  ＮＢ−ＬＴＥシステムにおいてＭ−ＰＵＳＣＨ送信方法
【０３３５】
以下、ＮＢ−ＬＴＥシステムにおいてＭ−ＰＵＳＣＨを送信する方法について説明する。このとき、基地局は、上りリンクでＭ−ＰＵＳＣＨが送信されるＰＲＢに関する情報をＮＢ−ＬＴＥ端末に送信することが好ましい。
【０３３６】
（１）第１方法
【０３３７】
端末は、Ｍ−ＰＲＡＣＨを送信する際に用いたリソース（例えば、ＰＲＢ）を用いてＭ−ＰＵＳＣＨを送信する。
【０３３８】
（２）第２方法
【０３３９】
端末はＭ−ＰＲＡＣＨの送信に成功した後、ＰＲＡＣＨ過程で用いられるメッセージ３を送信する無線リソースを用いてＭ−ＰＵＳＣＨを送信することができる。
【０３４０】
（３）第３方法
【０３４１】
端末は下りリンク送信時に用いるＰＲＢ情報から、Ｍ−ＰＵＳＣＨを送信するＰＲＢ情報を取得することができる。
【０３４２】
したがって、端末は取得したＰＲＢ情報に基づいてＭ−ＰＵＳＣＨを送信することができる。
【０３４３】
（４）第４方法
【０３４４】
Ｍ−ＰＵＳＣＨを送信する時に用いる無線リソースに関する情報をＭ−ＳＩＢ／ＲＲＣ／Ｌ１などのシグナリングによってＮＢ−ＬＴＥ端末に知らせることができる。
【０３４５】
ＮＢ−ＬＴＥ端末は第１方法〜第４方法で説明した実施例から取得した無線リソースに関する情報に基づいてＭ−ＰＵＳＣＨを基地局に送信することができる。
【０３４６】
４.  具現装置
【０３４７】
図２０で説明する装置は、図１乃至図１９で説明した方法を具現し得る手段である。
【０３４８】
端末（ＵＥ：Ｕｓｅｒ  Ｅｑｕｉｐｍｅｎｔ）は、上りリンクでは送信端として動作し、下りリンクでは受信端として動作することができる。また、基地局（ｅＮＢ：ｅ−Ｎｏｄｅ  Ｂ）は、上りリンクでは受信端として動作し、下りリンクでは送信端として動作することができる。
【０３４９】
すなわち、端末及び基地局は、情報、データ及び／又はメッセージの送信及び受信を制御するために、それぞれ、送信器（ｔｒａｎｓｍｉｔｔｅｒ）２０４０，２０５０及び受信器（ｒｅｃｅｉｖｅｒ）２０６０，２０７０を備えることができ、情報、データ及び／又はメッセージを送受信するための一つ以上のアンテナ２０００，２０１０などを有することができる。
【０３５０】
また、端末及び基地局はそれぞれ、上述した本発明の実施例を実行するためのプロセッサ（Ｐｒｏｃｅｓｓｏｒ）２０２０，２０３０、及びプロセッサの処理過程を臨時的に又は持続的に記憶し得るメモリ２０８０，２０９０を備えることができる。
【０３５１】
上述した端末及び基地局装置の構成成分及び機能を用いて本願発明の実施例を実行することができる。例えば、狭帯域モノのインターネット（ＮＢ−ＩｏＴ）システムを支援する無線接続システムにおいて物理下りリンク放送チャネル（Ｍ−ＰＢＣＨ）を受信する端末は、受信器と、該受信器を制御するプロセッサとを備えることができる。このとき、プロセッサは、帯域内配置モードであることを示す上位層信号を受信器を制御して受信し、ＮＢ−ＩｏＴシステムのために構成された狭帯域プライマリ同期信号（Ｍ−ＰＳＳ）及び狭帯域セカンダリ同期信号（Ｍ−ＳＳＳ）を受信器を制御して受信し、Ｍ−ＰＳＳ及びＭ−ＳＳＳからＮＢ−ＩｏＴシステムのセル識別子（Ｎ−Ｃｅｌｌ  ＩＤ）を取得し、帯域内配置モードでＮ−Ｃｅｌｌ  ＩＤを用いてＭ−ＰＢＣＨを受信器を制御して受信するように構成することができる。このとき、帯域内配置モードは、ＮＢ−ＩｏＴシステムがレガシーＬＴＥシステムの帯域内に構成されることを意味することができる。また、プロセッサは、Ｍ−ＰＢＣＨを受信するために、Ｎ−Ｃｅｌｌ  ＩＤを用いてレガシーシステムのセル特定参照信号（ＣＲＳ）に対する周波数遷移値（ｖ−ｓｈｉｆｔ）を計算し、周波数遷移値を考慮してＣＲＳが割り当てられるリソース要素を推定するように、さらに構成することができる。このとき、周波数遷移値は、プロセッサがレガシーシステムで支援可能な最大ＣＲＳアンテナポート個数を仮定して周波数遷移値を計算することができる。また、プロセッサは、Ｍ−ＰＢＣＨを受信するために、Ｎ−Ｃｅｌｌ  ＩＤを用いてＭＢ−ＩｏＴシステムのセル特定参照信号（Ｍ−ＣＲＳ）に対する周波数遷移値を計算し、周波数遷移値を考慮してＭ−ＣＲＳが割り当てられるリソース要素を推定するように、さらに構成するが、プロセッサは、ＣＲＳが割り当てられるリソース要素及びＭ−ＣＲＳが割り当てられるリソース要素を除くリソース領域で受信器を制御してＭ−ＰＢＣＨを受信するように構成することができる。詳細な内容については第１節〜第３節を参照することができる。
【０３５２】
端末及び基地局に含まれた送信モジュール及び受信モジュールは、データ送信のためのパケット変復調機能、高速パケットチャネルコーディング機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／又はチャネル多重化機能を実行することができる。また、図３２の端末及び基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールをさらに備えることができる。
【０３５３】
一方、本発明で端末として、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートパソコン、スマート（Ｓｍａｒｔ）フォン、又はマルチモードマルチバンド（ＭＭ−ＭＢ：Ｍｕｌｔｉ  Ｍｏｄｅ−Ｍｕｌｔｉ  Ｂａｎｄ）端末機などを用いることができる。
【０３５４】
ここで、スマートフォンは、移動通信器末機と個人携帯端末機の長所を組み合わせた端末機であって、移動通信器末機に、個人携帯端末機の機能である日程管理、ファックス送受信及びインターネット接続などのデータ通信機能を統合した端末機を意味できる。また、マルチモードマルチバンド端末機は、マルチモデムチップを内蔵し、携帯インターネットシステムでも、その他の移動通信システム（例えば、ＣＤＭＡ２０００システム、ＷＣＤＭＡシステムなど）でも作動できる端末機のことを指す。
【０３５５】
本発明の実施例は、様々な手段によって具現することができる。例えば、本発明の実施例は、ハードウェア、ファームウェア（ｆｉｒｍｗａｒｅ）、ソフトウェア又はそれらの結合などによって具現することができる。
【０３５６】
ハードウェアによる具現の場合、本発明の実施例に係る方法は、１つ又はそれ以上のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｏｒ）、ＤＳＰＤ（ｄｉｇｉｔａｌ  ｓｉｇｎａｌ  ｐｒｏｃｅｓｓｉｎｇ  ｄｅｖｉｃｅ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、コントローラ、マイクロコントローラ、マイクロプロセッサなどによって具現することができる。
【０３５７】
ファームウェアやソフトウェアによる具現の場合、本発明の実施例に係る方法は、以上で説明された機能又は動作を実行するモジュール、手順又は関数などの形態として具現することもできる。例えば、ソフトウェアコードは、メモリユニット２０８０，２０９０に記憶され、プロセッサ２０２０，２０３０によって駆動されてもよい。メモリユニットは、プロセッサの内部又は外部に設けられ、公知の種々の手段によってプロセッサとデータを交換することができる。
【０３５８】
本発明は、本発明の精神及び必須特徴から逸脱しない範囲で他の特定の形態として具体化されてもよい。したがって、上記の詳細な説明は、いずれの面においても制約的に解釈されてはならず、例示的なものとして考慮されなければならない。本発明の範囲は、添付した請求項の合理的解釈によって決定されなければならず、本発明の等価的範囲における変更はいずれも本発明の範囲に含まれる。また、特許請求の範囲で明示的な引用関係にない請求項を結合して実施例を構成してもよく、出願後の補正によって新しい請求項として含めてもよい。
【産業上の利用可能性】
【０３５９】
本発明の実施例は、様々な無線接続システムに適用可能である。様々な無線接続システムの一例として、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／又はＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、上記の様々な無線接続システムだけでなく、これら様々な無線接続システムを応用したいずれの技術分野にも適用可能である。
【図１】
0006637164.tif 000052
【図２】
0006637164.tif 000053
【図３】
0006637164.tif 000054
【図４】
0006637164.tif 000055
【図５】
0006637164.tif 000056
【図６】
0006637164.tif 000057
【図７】
0006637164.tif 000058
【図８】
0006637164.tif 000059
【図９】
0006637164.tif 000060
【図１０】
0006637164.tif 000061
【図１１】
0006637164.tif 000062
【図１２】
0006637164.tif 000063
【図１３】
0006637164.tif 000064
【図１４】
0006637164.tif 000065
【図１５】
0006637164.tif 000066
【図１６】
0006637164.tif 000067
【図１７】
0006637164.tif 000068
【図１８】
0006637164.tif 000069
【図１９】
0006637164.tif 000070
【図２０】
0006637164.tif 000071